(57)【特許請求の範囲】
【請求項１】
ワイヤレス通信の方法であって、
第１のデータサービスとデータセッションを確立する前または確立中に、１つまたは複数のフォールバック条件が存在するか否かを決定することと、ここにおいて、前記１つまたは複数のフォールバック条件が存在する否か決定することは、ハードフォールバック失敗の発生に応じてカウンタをデクレメントすることと、前記カウンタがゼロになった場合、前記１つまたは複数のフォールバック条件が存在すると決定することとを備える、
前記１つまたは複数のフォールバック条件のうちの少なくとも１つが存在するとの前記決定に基づいて、前記第１のデータサービスにアクセスするために前記データセッションを確立しようとするさらなる試みを禁止することと
を備える方法。
【請求項２】
前記１つまたは複数のフォールバック条件のうちの１つは、ハードフォールバック失敗の発生を示し、フォールバック失敗は、前記第１のデータサービスへの接続の失敗を示す、
請求項１に記載の方法。
【請求項３】
前記第１のデータサービスは、発展型高速パケットデータ（ｅＨＲＰＤ）サービスを備え、前記ハードフォールバック失敗は、認証失敗を備える、
請求項２に記載の方法。
【請求項４】
前記１つまたは複数のフォールバック条件のうちの１つは、ソフトフォールバック失敗の発生を示し、フォールバック失敗は、前記第１のデータサービスへの接続の失敗を示す、
請求項１に記載の方法。
【請求項５】
前記第１のデータサービスは、ｅＨＲＰＤサービスを備え、前記ソフトフォールバック失敗は、リンク制御プロトコル（ＬＣＰ）交渉プロシージャ失敗を備える、
請求項４に記載の方法。
【請求項６】
前記１つまたは複数のフォールバック条件のうちの１つは、前記第１のデータサービスにアクセスするために前記データセッションを確立しようとする前記試みを禁止する前に発生しうるソフトフォールバック失敗の数を示す、
請求項４に記載の方法。
【請求項７】
前記１つまたは複数のフォールバック条件のうちの１つは、ハードフォールバック失敗の発生が、ソフトフォールバック失敗の発生としてみなされるべきであることを示す、
請求項４に記載の方法。
【請求項８】
前記１つまたは複数のフォールバック条件のうちの１つは、パケットデータネットワーク（ＰＤＮ）接続試行に関連付けられた少なくとも１つのアクセスポイント名（ＡＰＮ）への接続の失敗の発生を示す、
請求項１に記載の方法。
【請求項９】
前記１つまたは複数のフォールバック条件のうちの１つは、前記ＵＥがローミングネットワークによってサポートされている場合に、ユーザ機器（ＵＥ）が、前記第１のデータサービスにアクセスするために前記データセッションを確立しようとする試みを禁止されることを示す、
請求項１に記載の方法。
【請求項１０】
前記１つまたは複数のフォールバック条件のうちの１つは、ユーザ機器（ＵＥ）が、前記ＵＥに関連付けられたアプリケーションプロフィールで値が設定された場合に、前記第１のデータサービスにアクセスするために、前記データセッションを確立しようとする試みを禁止されることを示す、
請求項１に記載の方法。
【請求項１１】
第２のデータサービスとデータセッションを確立することと、
１つまたは複数の第１のデータサービス再接続トリガに基づいて、前記第１のデータサービスにアクセスするために前記データセッションを確立しようと再び試みる否かを決定することと
をさらに備える、請求項１に記載の方法。
【請求項１２】
前記第１のデータサービス再接続トリガのうちの１つは、再試行タイマの期限切れを備える、
請求項１１に記載の方法。
【請求項１３】
前記第１のデータサービス再接続トリガのうちの１つは、イベント発生の検出を備える、
請求項１１に記載の方法。
【請求項１４】
前記イベント発生の検出は、前記第２のデータサービスとの前記データセッションが終了したこと、および新しいデータセッションが提案されていることを決定することをさらに備える、
請求項１３に記載の方法。
【請求項１５】
ロングタームエボリューション（ＬＴＥ）ネットワークに移動することをさらに備え、前記イベント発生の検出は、前記ＬＴＥネットワークへの成功した認証がＬＴＥシステムアタッチプロシージャに基づいて実行されたことを決定することをさらに備える、
請求項１３に記載の方法。
【請求項１６】
前記第２のデータサービスに事前登録するためにＬＴＥトンネルを使用することをさらに備える、
請求項１５に記載の方法。
【請求項１７】
前記ＬＴＥトンネルを通して、前記第１のデータサービスにアクセスするために前記データセッションを確立しようと再び試みることをさらに備える、
請求項１６に記載の方法。
【請求項１８】
再試行タイマが期限切れになる前に、前記第１のデータサービスにアクセスするために前記データセッションを確立しようと再び試みることをさらに備える、
請求項１５に記載の方法。
【請求項１９】
前記第１のデータサービスおよび前記第２のデータサービスに関連付けられた共通アクセスネットワークに基づくカバレッジを含む位置にＵＥが移動したと検出することと、
前記検出に基づいて、前記第１のデータサービスにアクセスするために前記データセッションを確立しようと再び試みることと
をさらに備える、請求項１５に記載の方法。
【請求項２０】
前記イベント発生の検出は、電力サイクルが完了したと決定することをさらに備える、
請求項１３に記載の方法。
【請求項２１】
前記第２のデータサービスは、高速パケットデータ（ＨＲＰＤ）サービスである、
請求項１１に記載の方法。
【請求項２２】
前記決定することおよび前記禁止することは、ＵＥによって実行される、
請求項１に記載の方法。
【請求項２３】
無線通信のための装置であって、
第１のデータサービスとのデータセッションを確立する前または確立中に、１つまたは複数のフォールバック条件が存在するか否かを決定するための手段と、ここにおいて、前記１つまたは複数のフォールバック条件が存在する否か決定するための手段は、ハードフォールバック失敗の発生に応じてカウンタをデクレメントするための手段と、前記カウンタがゼロになった場合、前記１つまたは複数のフォールバック条件が存在すると決定するための手段とを備える、
前記１つまたは複数のフォールバック条件のうちの少なくとも１つが存在するとの前記決定に基づいて、前記第１のデータサービスにアクセスするために前記データセッションを確立しようとするさらなる試みを禁止するための手段と
を備える装置。
【請求項２４】
前記１つまたは複数のフォールバック条件のうちの１つは、ハードフォールバック失敗の発生を示し、フォールバック失敗は、前記第１のデータサービスへの接続の失敗を示す、
請求項２３に記載の装置。
【請求項２５】
前記第１のデータサービスは、発展型高速パケットデータ（ｅＨＲＰＤ）サービスを備え、前記ハードフォールバック失敗は、認証失敗を備える、
請求項２４に記載の装置。
【請求項２６】
前記１つまたは複数のフォールバック条件のうちの１つは、ソフトフォールバック失敗の発生を示し、フォールバック失敗は、前記第１のデータサービスへの接続の失敗を示す、
請求項２３に記載の装置。
【請求項２７】
前記第１のデータサービスは、ｅＨＲＰＤサービスを備え、前記ソフトフォールバック失敗は、リンク制御プロトコル（ＬＣＰ）交渉プロシージャ失敗を備える、
請求項２６に記載の装置。
【請求項２８】
前記１つまたは複数のフォールバック条件のうちの１つは、前記第１のデータサービスにアクセスするために前記データセッションを確立しようとする前記試みを禁止する前に発生しうるソフトフォールバック失敗の数を示す、
請求項２６に記載の装置。
【請求項２９】
前記１つまたは複数のフォールバック条件のうちの１つは、ハードフォールバック失敗の発生が、ソフトフォールバック失敗の発生としてみなされるべきであることを示す、
請求項２６に記載の装置。
【請求項３０】
前記１つまたは複数のフォールバック条件のうちの１つは、パケットデータネットワーク（ＰＤＮ）接続試行に関連付けられた少なくとも１つのアクセスポイント名（ＡＰＮ）への接続の失敗の発生を示す、
請求項２３に記載の装置。
【請求項３１】
前記１つまたは複数のフォールバック条件のうちの１つは、ユーザ機器（ＵＥ）が、前記ＵＥがローミングネットワークによってサポートされている場合に、前記第１のデータサービスにアクセスするために前記データセッションを確立しようとする試みを禁止されることを示す、
請求項２３に記載の装置。
【請求項３２】
前記１つまたは複数のフォールバック条件のうちの１つは、ユーザ機器（ＵＥ）が、前記ＵＥの関連付けられたアプリケーションプロフィールで値が設定された場合に、前記第１のデータサービスにアクセスするために前記データセッションを確立しようとする試みを禁止されることを示す、
請求項２３に記載の装置。
【請求項３３】
第２のデータサービスとデータセッションを確立するための手段と、
１つまたは複数の第１のデータサービス再接続トリガに基づいて、前記第１のデータサービスにアクセスするために前記データセッションを確立しようと再び試みるか否かを決定するための手段と
をさらに備える、請求項２３に記載の装置。
【請求項３４】
前記第１のデータサービス再接続トリガのうちの１つは、再試行タイマ期限切れを備える、
請求項３３に記載の装置。
【請求項３５】
前記第１のデータサービス再接続トリガのうちの１つは、イベント発生の検出を備える、
請求項３３に記載の装置。
【請求項３６】
前記イベント発生の検出は、前記第２のデータサービスとの前記データセッションが終了し、新しいデータセッションが提案されていることを決定することをさらに備える、
請求項３５に記載の装置。
【請求項３７】
ロングタームエボリューション（ＬＴＥ）ネットワークに移動することをさらに備え、前記イベント発生の検出は、前記ＬＴＥネットワークへの成功した認証がＬＴＥシステムアタッチプロシージャに基づいて実行されたと決定することをさらに備える、
請求項３５に記載の装置。
【請求項３８】
前記第２のデータサービスに事前登録するためにＬＴＥトンネルを使用するための手段をさらに備える、
請求項３７に記載の装置。
【請求項３９】
前記ＬＴＥトンネルを通して、前記第１のデータサービスにアクセスするために前記データセッションを確立するように再び試みる手段をさらに備える、
請求項３８に記載の装置。
【請求項４０】
再試行タイマの期限切れの前に、前記第１のデータサービスにアクセスするために前記データセッションを確立するように再び試みる手段をさらに備える、
請求項３７に記載の装置。
【請求項４１】
前記第１のデータサービスおよび前記第２のデータサービスに関連付けられた共通アクセスネットワークに基づくカバレッジを含む位置にＵＥが移動したことを検出するための手段と、
前記検出に基づいて、前記第１のデータサービスにアクセスするために前記データセッションを確立するように再び試みる手段と
をさらに備える、請求項３７に記載の装置。
【請求項４２】
前記イベント発生の検出は、電力サイクルが完了したと決定することをさらに備える、
請求項３５に記載の装置。
【請求項４３】
前記第２のデータサービスは、高速パケットデータ（ＨＲＰＤ）サービスである、
請求項３３に記載の装置。
【請求項４４】
前記決定するための手段および前記禁止するための手段は、ＵＥに含まれる、
請求項２３に記載の装置。
【請求項４５】
通信のためのデバイスであって、
メモリと、
前記メモリに接続されたプロセッサと、
前記メモリまたは前記プロセッサのうちの少なくとも１つに結合されたデータサービスアクセスモジュールであって、前記データサービスアクセスモジュールは、
第１のデータサービスとのデータセッションを確立する前または確立中に、１つまたは複数のフォールバック条件が存在するか否かを決定するように構成され、ここにおいて、前前記データサービスアクセスモジュールは、ハードフォールバック失敗の発生に応じてカウンタをデクレメントすることと、前記カウンタがゼロになった場合、前記１つまたは複数のフォールバック条件が存在すると決定することとによって、１つまたは複数のフォールバック条件が存在する否か決定するように構成される、
前記１つまたは複数のフォールバック条件のうちの少なくとも１つが存在するとの前記決定に基づいて、前記第１のデータサービスにアクセスするために前記データセッションを確立しようとするさらなる試みを禁止するように構成される、
データサービスアクセスモジュールと、
を備えるデバイス。
【請求項４６】
前記１つまたは複数のフォールバック条件のうちの１つは、ハードフォールバック失敗の発生を示し、フォールバック失敗は、前記第１のデータサービスへの接続の失敗を示す、
請求項４５に記載のデバイス。
【請求項４７】
前記第１のデータサービスは、発展型高速パケットデータ（ｅＨＲＰＤ）サービスを備え、前記ハードフォールバック失敗は、認証失敗を備える、
請求項４６に記載のデバイス。
【請求項４８】
前記１つまたは複数のフォールバック条件のうちの１つは、ソフトフォールバック失敗の発生を示し、フォールバック失敗は、前記第１のデータサービスへの接続の失敗を示す、
請求項４５に記載のデバイス。
【請求項４９】
前記第１のデータサービスは、ｅＨＲＰＤサービスを備え、前記ソフトフォールバック失敗は、リンク制御プロトコル（ＬＣＰ）交渉プロシージャ失敗を備える、
請求項４８に記載のデバイス。
【請求項５０】
前記１つまたは複数のフォールバック条件のうちの１つは、前記第１のデータサービスにアクセスするために前記データセッションを確立しようとする前記試みを禁止する前に発生しうるソフトフォールバック失敗の数を示す、
請求項４８に記載のデバイス。
【請求項５１】
前記１つまたは複数のフォールバック条件のうちの１つは、ハードフォールバック失敗の発生が、ソフトフォールバック失敗の発生としてみなされるべきであることを示す、
請求項４８に記載のデバイス。
【請求項５２】
前記１つまたは複数のフォールバック条件のうちの１つは、パケットデータネットワーク（ＰＤＮ）接続試行に関連付けられた少なくとも１つのアクセスポイント名（ＡＰＮ）への接続の失敗の発生を示す、
請求項４５に記載のデバイス。
【請求項５３】
前記１つまたは複数のフォールバック条件のうちの１つは、前記デバイスがローミングネットワークによってサポートされている場合に、前記デバイスが、前記第１のデータサービスにアクセスするために前記データセッションを確立しようとする試みを禁止されることを示す、
請求項４５に記載のデバイス。
【請求項５４】
前記１つまたは複数のフォールバック条件のうちの１つは、前記デバイスと関連付けられたアプリケーションプロフィールで値が設定された場合に、前記デバイスが、前記第１のデータサービスにアクセスするために前記データセッションを確立しようとする試みを禁止されることを示す、
請求項４５に記載のデバイス。
【請求項５５】
データサービスアクセスモジュールは、
第２のデータサービスとデータセッションを確立し、
１つまたは複数の第１のデータサービス再接続トリガに基づいて、前記第１のデータサービスにアクセスするために前記データセッションを確立するように再び試みるか否かを決定する
ようにさらに構成される、請求項４５に記載のデバイス。
【請求項５６】
前記第１のデータサービス再接続トリガのうちの１つは、再試行タイマの期限切れを備える、
請求項５５に記載のデバイス。
【請求項５７】
前記第１のデータサービス再接続トリガのうちの１つは、イベント発生の検出を備える、
請求項５５に記載のデバイス。
【請求項５８】
データサービスアクセスモジュールは、前記第２のデータサービスとの前記データセッションが終了し、新しいデータセッションが提案されていることを決定するようにさらに構成される、
請求項５７に記載のデバイス。
【請求項５９】
ロングタームエボリューション（ＬＴＥ）ネットワークに移動することをさらに備え、前記データサービスアクセスモジュールは、前記ＬＴＥネットワークへの成功した認証がＬＴＥシステムアタッチプロシージャに基づいて実行されたことを決定するようにさらに構成される、
請求項５７に記載のデバイス。
【請求項６０】
前記データサービスアクセスモジュールは、前記第２のデータサービスに事前登録するためにＬＴＥトンネルを使用するようにさらに構成される、
請求項５９に記載のデバイス。
【請求項６１】
前記データサービスアクセスモジュールは、前記ＬＴＥトンネルと通して前記第１のデータサービスにアクセスするために、前記データセッションを確立するように再び試みるようにさらに構成される、
請求項６０に記載のデバイス。
【請求項６２】
前記データサービスアクセスモジュールは、再試行タイマの期限切れ前に、前記第１のデータサービスにアクセスするために前記データセッションを確立するように再び試みるようにさらに構成される、
請求項５９に記載のデバイス。
【請求項６３】
前記データサービスアクセスモジュールは、
前記第１のデータサービスおよび前記第２のデータサービスに関連付けられた共通アクセスネットワークに基づくカバレッジを含む位置に前記デバイスが移動したことを検出し、
前記検出に基づいて、前記第１のデータサービスにアクセスするために前記データセッションを確立するように再び試みる
ようにさらに構成される、請求項５９に記載のデバイス。
【請求項６４】
前記データサービスアクセスモジュールは、電力サイクルが完了したと決定するようにさらに構成される、
請求項５７に記載のデバイス。
【請求項６５】
前記第２のデータサービスは、高速パケットデータ（ＨＲＰＤ）サービスである、
請求項５５に記載のデバイス。
【請求項６６】
コンピュータプログラムであって、コンピュータによって実行可能なコードを備え、前記コードは、
第１のデータサービスとデータセッションを確立する前または確立中に、１つまたは複数のフォールバック条件が存在するか否かを決定するためのコードと、ここにおいて、前記１つまたは複数のフォールバック条件が存在する否か決定するためのコードは、ハードフォールバック失敗の発生に応じてカウンタをデクレメントするためのコードと、前記カウンタがゼロになった場合、前記１つまたは複数のフォールバック条件が存在すると決定するためのコードとを備える、
前記１つまたは複数のフォールバック条件のうちの少なくとも１つが存在するとの前記決定に基づいて、前記第１のデータサービスにアクセスするために前記データセッションを確立しようとするさらなる試みを禁止するためのコードと
を備える、コンピュータプログラム。
【発明の詳細な説明】
【関連出願】
【０００１】
本願は、譲受人に譲渡され、内容が全体的に参照によって本明細書に明確に組み込まれる２０１１年６月９日に出願された「METHODS AND APPARATUS FOR ENABLING FALLBACK TO HRPD UPON FIRST SYSTEM AUTHENTICATION FAILURE」と題する米国仮出願第６１／４９５，２８１号、および、２０１２年６月４日に出願された「METHODS AND APPARATUS FOR ENABLING FALLBACK TO A SECOND DATA SERVICE BASED ON THE PRESENCE OF FALLBACK CONDITIONS ASSOCIATED WITH ESTABLISHMENT OF A DATA CONTEXT WITH A FIRST DATA SERVICE」と題する米国出願第１３／４８８，２９８号の優先権を主張する。
【技術分野】
【０００２】
本開示は一般的に通信システムに関し、より詳細には、第１のデータサービス（例えば、発展型高速パケットデータ（ｅＨＲＰＤ）データサービス）とデータコンテキストを確立する前または確立中に、１つまたは複数のフォールバック条件が存在するか否かに基づいて、第２のデータサービス（例えば、高速パケットデータ（ＨＲＰＤ）データサービス）へのフォールバックをイネーブルにするユーザ機器（ＵＥ）ベースのプロセスに関する。
【背景技術】
【０００３】
電気通信、ビデオ、データ、メッセージング、およびブロードキャストといった様々な電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を用いうる。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、時分割同期符号分割多元接続（ＴＤ−ＳＣＤＭＡ）システムが含まれる。
【０００４】
これらの多元接続技術は、異なるワイヤレスデバイスが、市区町村レベル、国レベル、地方レベルだけでなく、世界規模で通信することを可能にする共通のプロトコルを提供するために、様々な電気通信規格に採用されている。新興の電気通信規格の例は、ロングタームエボリューション（ＬＴＥ）である。ＬＴＥは、第３世代パートナーシッププロジェクト（３ＧＰＰ）によって発表されたユニバーサルモバイル電気通信システム（ＵＭＴＳ）モバイル規格を向上させたもののセットである。それは、スペクトル効率を改善することによってモバイルブロードバンドインターネットアクセスをより快適にサポートし、コストを下げ、サービスを向上させ、新しいスペクトルを利用し、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープン規格に組み込まれるように設計されている。しかしながら、モバイルブロードバンドアクセスに対する需要が増加し続けるのに伴い、ＬＴＥ技術にはさらなる改善が必要とされる。好ましくは、これらの改善は、他の多元接続技術、およびこれらの技術を用いる電気通信規格に適用可能であるべきである。
【発明の概要】
【０００５】
１つまたは複数の態様の基本的な理解を提供するために、そのような態様の簡潔化された概要が以下に提示される。この概要は、意図されたすべての態様の広範な概要ではなく、すべての態様のキーとなる要素または重要な要素を特定することも、任意の態様またはすべての態様の範囲を示すことも意図しない。その唯一の目的は、後に提示されるより詳細な説明への前置きとして、１つまたは複数の態様のいくつかの概念を簡潔化された形態で提示することである。
【０００６】
関連態様にしたがって、方法は、第１のデータサービス（例えば、ＨＲＰＤデータサービス）とデータコンテキストを確立する前または確立中に、１つまたは複数のフォールバック条件が存在するか否かに基づいて、第２のデータサービス（例えば、ＨＲＰＤデータサービス）へのフォールバックをイネーブルにする。方法は、第１のデータサービスとデータセッションを確立する前または確立中に、１つまたは複数のフォールバック条件が存在するか否かを決定することを含むことができる。さらに、方法は、１つまたは複数のフォールバック条件のうちの少なくとも１つが存在するとの決定に基づいて、第１のデータサービスにアクセスするためにデータコンテキストを確立しようとするさらなる試みを禁止することを含むことができる。
【０００７】
別の態様は、通信装置に関する。通信装置は、第１のデータサービスとデータセッションを確立する前または確立中に、１つまたは複数のフォールバック条件が存在するか否かを決定するための手段を含むことができる。通信装置はまた、１つまたは複数のフォールバック条件のうちの少なくとも１つが存在するとの決定に基づいて、第１のデータサービスにアクセスするためにデータコンテキストを確立しようとするさらなる試みを禁止するための手段を含むことができる。
【０００８】
別の態様は、通信装置に関する。装置は、第１のデータサービスとデータセッションを確立する前または確立中に、１つまたは複数のフォールバック条件が存在するか否かを決定するように構成されたデータサービスアクセスモジュールを含むことができる。データサービスアクセスモジュールはまた、１つまたは複数のフォールバック条件のうちの少なくとも１つが存在するとの決定に基づいて、第１のデータサービスにアクセスするためにデータコンテキストを確立しようとするさらなる試みを禁止するようにさらに構成されうる。
【０００９】
別の態様は、第１のデータサービスとデータセッションを確立する前または確立中に、１つまたは複数のフォールバック条件が存在するか否かを決定するためのコードを備えるコンピュータ読取可能な媒体を有することができるコンピュータプログラム製品に関する。コンピュータ読取可能な媒体はまた、１つまたは複数のフォールバック条件のうちの少なくとも１つが存在するとの決定に基づいて、第１のデータサービスにアクセスするためにデータコンテキストを確立しようとするさらなる試みを禁止するためのコードを含む。
【００１０】
上述した目的および関連する目的の達成のために、１つまたは複数の態様は、明細書において後に十分に説明され、特許請求の範囲において特に指摘される特徴を備える。下記の説明および付属の図面は、１つまたは複数の態様のある特定の例示的な特徴を詳細に示す。しかしながら、これらの特徴は、様々な態様の原理が用いられうる様々な方法のほんの一部を示すものであり、この説明は、そのようなすべての態様およびそれらの同等物を含むことを意図する。
【図面の簡単な説明】
【００１１】
【図１】図１は、処理システムを用いる装置のためのハードウェア実現の例を示す図である。
【図２】図２は、ネットワークアーキテクチャの例を示す図である。
【図３】図３は、アクセスネットワークの例を示す図である。
【図４】図４は、アクセスネットワークにおいて使用されるフレーム構造の例を示す図である。
【図５】図５は、ＬＴＥにおけるＵＬのための例示的なフォーマットを示す。
【図６】図６は、ユーザおよび制御プレーンのための無線プロトコルアーキテクチャの例を示す図である。
【図７】図７は、アクセスネットワークにおける発展型ノードＢおよびユーザ機器の例を示す図である。
【図８】図８は、ｅＨＲＰＤセットアッププロシージャを示す呼出フロー図である。
【図９】図９は、ある態様にしたがって例示的なアクセスネットワークを示す図である。
【図１０】図１０は、ある態様にしたがった、ワイヤレス通信デバイスを示す概念的なブロック図である。
【図１１Ａ】図１１Ａは、ある態様にしたがった、フォールバックスキームの例示的な実現を示す図である。
【図１１Ｂ】図１１Ｂは、ある態様にしたがった、別のフォールバックスキームの例示的な実現を示す図である。
【図１１Ｃ】図１１Ｃは、ある態様にしたがった、さらに別のフォールバックスキームの例示的な実現を示す図である。
【図１２】図１２は、ある態様にしたがった、ワイヤレス通信の第１の方法のフローチャートである。
【図１３】図１３は、ある態様にしたがった、ワイヤレス通信の第２の方法のフローチャートである。
【図１４】図１４は、ある態様にしたがった、ワイヤレス通信の第３の方法のフローチャートである。
【図１５】図１５は、例示的な装置の機能を示す概念的なブロック図である。
【発明を実施するための形態】
【００１２】
添付の図面に関連して以下に示される詳細な説明は、様々な構成についての説明を意図したものであり、本明細おいて説明される概念が実施されうる唯一の構成を表すことを意図したものではない。詳細な説明は、様々な概念についての完全な理解を提供するために特定の詳細を含む。しかしながら、これらの概念がこれら特定の詳細なしに実施されうることは、当業者には明らかであろう。いくつかの例では、そのような概念をあいまいにしないために、周知の構造およびコンポーネントがブロック図の形態で示される。
【００１３】
電気通信システムのいくつかの態様が、様々な装置および方法に関連して提示される。これらの装置および方法は、以下の詳細な説明で説明され、様々なブロック、モジュール、コンポーネント、回路、ステップ、プロセス、アルゴリズム、等（総称して「エレメント」と呼ばれる）によって添付の図面で示される。これらのエレメントは、電子ハードウェア、コンピュータソフトウェア、またはそれらの組み合わせを用いて実現されうる。そのようなエレメントがハードウェアとして実現されるかソフトウェアとして実現されるかは、特定のアプリケーションと、システム全体に課された設計の制約とに依存する。
【００１４】
例として、１つのエレメント、１つのエレメントの任意の部分、または複数のエレメントの任意の組み合わせは、１つまたは複数のプロセッサを含む「処理システム」を用いて実現されうる。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および、本開示を通して説明される様々な機能を実行するように構成された他の適切なハードウェアが含まれる。処理システムにおける１つまたは複数のプロセッサは、ソフトウェアを実行しうる。ソフトウェアは、ソフトウェア、ファームウェア、ミドルウェア、マイクロコード、ハードウェア記述言語と呼ばれる場合であっても、それ以外の名称で呼ばれる場合であっても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【００１５】
結果として、１つまたは複数の例示的な実施形態では、説明される機能は、ハードウェア、ソフトウェア、ファームウェア、またはこれらの任意の組み合わせで実現されうる。ソフトウェアで実現される場合、これらの機能は、コンピュータ読取可能な媒体上の１つまたは複数の命令またはコードとして記憶または符号化されうる。コンピュータ読取可能な媒体は、コンピュータ記憶媒体を含む。記憶媒体は、コンピュータによってアクセス可能な任意の入手可能な媒体でありうる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、あるいは、命令またはデータ構造の形態で所望のプログラムコードを搬送または記憶するために使用されることができ、コンピュータによってアクセスされることができる任意の他の媒体を備えることができる。本明細書で使用される場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、ディスク（ｄｉｓｋ）は、通常磁気的にデータを再生し、ディスク（ｄｉｓｃ）は、レーザーを用いて光学的にデータを再生する。上記の組み合わせもまた、コンピュータ読取可能な媒体の範囲内に含まれるべきである。
【００１６】
図１は、処理システム１１４を用いる装置１００のためのハードウェア実現の例を示す概念的な図である。この例において、処理システム１１４は、一般的にバス１０２によって表されるバスアーキテクチャを用いて実現されうる。バス１０２は、処理システム１１４の特定のアプリケーションと全体的な設計の制約に依存して、任意の数の相互接続バスおよびブリッジを含みうる。バス１０２は、一般的にプロセッサ１０４によって表される１つまたは複数のプロセッサ、および、一般的にコンピュータ読取可能な媒体１０６によって表されるコンピュータ読取可能な媒体を含む、様々な回路を互いにリンクさせる。バス１０２はまた、タイミングソース、周辺機器、電圧レギュレータ、および電力管理回路といった様々な他の回路をリンクさせることもできるが、これらは、当技術分野において周知であり、よって、これ以上説明されないだろう。バスインターフェース１０８は、バス１０２とトランシーバ１１０との間にインターフェースを提供する。トランシーバ１１０は、送信媒体を介して様々な他の装置と通信するための手段を提供する。装置の性質に依存して、ユーザインターフェース１１２（例えば、キーパッド、ディスプレイ、スピーカ、マイクロフォン、ジョイスティック）もまた提供されうる。
【００１７】
プロセッサ１０４は、バス１０２の管理、および、コンピュータ読取可能な媒体１０６に記憶されたソフトウェアの実行を含む一般的な処理を担う。このソフトウェアは、プロセッサ１０４によって実行されると、処理システム１１４に、任意の特定の装置に関して後に説明される様々な機能を実行させる。コンピュータ読取可能な媒体１０６はまた、ソフトウェアを実行する際にプロセッサ１０４によって操作されるデータを記憶するために使用されうる。
【００１８】
図２は、様々な装置１００（図１参照）を用いるＬＴＥネットワークアーキテクチャ２００を示す図である。ＬＴＥネットワークアーキテクチャ２００は、発展型パケットシステム（ＥＰＳ）２００と呼ばれうる。ＥＰＳ ２００は、１つまたは複数のユーザ機器（ＵＥ）２０２、次世代ＵＭＴＳ地上無線アクセスネットワーク（Ｅ−ＵＴＲＡＮ）２０４、発展型パケットコア（ＥＰＣ）２１０、ホーム加入者サーバ（ＨＳＳ）２２０、およびオペレータのＩＰサービス２２２を含みうる。ＥＰＳは、他のアクセスネットワークと相互接続することができるが、簡潔化のために、それらのエンティティ／インターフェースは示されない。示されているように、ＥＰＳは、パケット交換サービスを提供するが、当業者が容易に認識するように、本開示全体を通して提示される様々な概念は、回線交換サービスを提供するネットワークに拡張されることができる。
【００１９】
Ｅ−ＵＴＲＡＮは、発展型ノードＢ（ｅＮＢ）２０６および他のｅＮＢ ２０８を含む。ｅＮＢ ２０６は、ＵＥ ２０２に向けて、ユーザおよび制御プレーンのプロトコル終端を提供する。ｅＮＢ ２０６は、Ｘ２インターフェース（すなわち、バックホール）を介して、他のｅＮＢ ２０８に接続されうる。ｅＮＢ ２０６はまた、当業者によって、基地局、トランシーバ基地局、無線基地局、無線トランシーバ、トランシーバ機能、基本サービスセット（ＢＳＳ）、拡張サービスセット（ＥＳＳ）、またはその他の適切な専門用語で呼ばれうる。ｅＮＢ ２０６は、ＵＥ ２０２に、ＥＰＣ ２１０へのアクセスポイントを提供する。ＵＥ ２０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、または、同様の機能を有するその他のデバイスが含まれる。ＵＥ ２０２はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはその他の適切な専門用語で呼ばれうる。
【００２０】
ｅＮＢ ２０６は、Ｓ１インターフェースによってＥＰＣ ２１０に接続される。ＥＰＣ ２１０は、モビリティ管理エンティティ（ＭＭＥ）２１２、他のＭＭＥ ２１４、サービングゲートウェイ２１６、パケットデータネットワーク（ＰＤＮ）ゲートウェイ２１８を含む。ＭＭＥ ２１２は、ＵＥ ２０２とＥＰＣ ２１０との間のシグナリングを処理する制御ノードである。一般的に、ＭＭＥ ２１２は、ベアラおよび接続管理を提供する。すべてのユーザＩＰパケットは、ＰＤＮゲートウェイ２１８に自体が接続されたサービングゲートウェイ２１６を通って転送される。ＰＤＮゲートウェイ２１８は、ＵＥ ＩＰアドレス割付に加え、その他の機能を提供する。ＰＤＮゲートウェイ２１８は、オペレータのＩＰサービス２２２に接続される。オペレータのＩＰサービス２２２は、インターネット、イントラネット、ＩＰマルチメディアサブシステム（ＩＭＳ）、およびＰＳストリーミングサービス（ＰＳＳ）を含む。
【００２１】
図３は、ＬＴＥネットワークアーキテクチャにおけるアクセスネットワークの例を示す図である。この例において、アクセスネットワーク３００は、多数のセルラ領域（セル）３０２に分割される。１つまたは複数の、より低い電力クラスのｅＮＢ ３０８、３１２は、それぞれ、セル３０２のうちの１つまたは複数とオーバーラップするセルラ領域３１０、３１４を有しうる。より低い電力クラスのｅＮＢ ３０８、３１２は、フェムトセル（例えば、ホームｅＮＢ（ＨｅＮＢ））、ピコセル、またはマイクロセルでありうる。より高い電力クラスのｅＮＢ、すなわちマクロｅＮＢ３０４は、あるセル３０２に割り当てられ、そのセル３０２内のすべてのＵＥ ３０６に対して、ＥＰＣ ２１０へのアクセスポイントを提供するように構成される。アクセスネットワーク３００のこの例では、集中コントローラは存在しないが、別の構成では、集中コントローラが使用されうる。ｅＮＢ ３０４は、無線ベアラ制御、アドミッション制御、モビリティ制御、スケジューリング、セキュリティ、およびサービングゲートウェイ２１６（図２参照）への接続性を含むすべての無線関連機能を担う。
【００２２】
アクセスネットワーク３００によって用いられる変調および多元接続スキームは、展開されている特定の電気通信規格に依存して変化しうる。ＬＴＥアプリケーションでは、周波数分割複信（ＦＤＤ）および時分割複信（ＴＤＤ）の両方をサポートするために、ＤＬ上でＯＦＤＭが使用され、ＵＬ上でＳＣ−ＦＤＭＡが使用される。以下の詳細な説明から当業者が容易に認識するように、本明細書に提示される様々な概念は、ＬＴＥアプリケーションに適している。しかしながら、これらの概念は、他の変調および多元接続技術を用いる他の電気通信規格に容易に拡張されうる。例として、これらの概念は、発展型データ最適化（ＥＶ−ＤＯ）あるいはウルトラモバイルブロードバンド（ＵＭＢ）に拡張されうる。ＥＶ−ＤＯおよびＵＭＢは、ＣＤＭＡ２０００の一群の規格の一部として第３世代パートナーシッププロジェクト２（３ＧＰＰ２）により発表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形を用いるユニバーサル地上無線アクセス（ＵＴＲＡ）、ＴＤＭＡを用いるＧＳＭ（登録商標）、ＯＦＤＭＡを用いる発展型ＵＴＲＡ（Ｅ−ＵＴＲＡ）、ウルトラモバイルブロードバンド（ＵＭＢ）、ＩＥＥＥ ８０２.１１（Ｗｉ−Ｆｉ）、ＩＥＥＥ ８０２.１６（ＷｉＭＡＸ）、ＩＥＥＥ ８０２.２０、および、ＯＦＤＭＡを用いるフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ ２０００およびＵＭＢは、３ＧＰＰ２団体からの文書において説明されている。用いられる実際のワイヤレス通信規格および多元接続技術は、特定のアプリケーションと、システムに課された全体的な設計制約とに依存するだろう。
【００２３】
ｅＮＢ ３０４は、ＭＩＭＯ技術をサポートする複数のアンテナを有しうる。ＭＩＭＯ技術の使用により、ｅＮＢ ３０４は、空間ドメインを利用して、空間多重化、ビームフォーミング、および送信ダイバーシティをサポートすることができる。
【００２４】
空間多重化は、異なるデータストリームを同一の周波数上で同時に送信するために使用されうる。それらのデータストリームは、データレートを増加させるために単一のＵＥ ３０６に、または、システム容量全体を増加させるために複数のＵＥ ３０６に送信されうる。これは、各データストリームを空間的にプリコーディングし（すなわち、振幅および位相のスケーリングを適用し）て、空間的にプリコーディングされた各ストリームを、ダウンリンク上で複数の送信アンテナを通して送信することによって達成されうる。空間的にプリコーディングされたデータストリームは、異なる空間的シグネチャとともにＵＥ ３０６に到着し、これにより、ＵＥ ３０６の各々は、このＵＥ ３０６に向けられた１つまたは複数のデータストリームを復元することができる。アップリンク上で、各ＵＥ ３０６は、空間的にプリコーディングされたデータストリームを送信し、これにより、ｅＮＢ ３０４は、空間的にプリコーディングされた各データストリームのソースを識別することができる。
【００２５】
空間多重化は一般的に、チャネル条件が良好な場合に使用される。チャネル条件がさほど良好でない場合には、１つまたは複数の方向に送信エネルギを集中させるために、ビームフォーミングが使用されうる。これは、複数のアンテナを通した送信のためにデータを空間的にプリコーディングすることによって達成されうる。セルのエッジにおいて優れたカバレッジを達成するために、単一ストリームのビームフォーミング送信が、送信ダイバーシティと組み合わせて使用されうる。
【００２６】
以下の詳細な説明では、アクセスネットワークの様々な態様が、ダウンリンク上でＯＦＤＭをサポートするＭＩＭＯシステムに関連して説明される。ＯＦＤＭは、ＯＦＤＭシンボル内の多数のサブキャリアにわたってデータを変調する拡散スペクトル技法である。これらのサブキャリアは、精確な周波数間隔が空けられている。この間隔空けは、「直交性」を提供し、それによって、受信機は、これらのサブキャリアからのデータの復元することができる。時間ドメインでは、ＯＦＤＭシンボル間干渉を抑制するために、各ＯＦＤＭシンボルにガードインターバル（例えば、サイクリックプリフィクス）が追加されうる。アップリンクは、高いピーク対平均電力比（ＰＡＰＲ）を補償するために、ＤＦＴ拡散ＯＦＤＭ信号の形態でＳＣ−ＦＤＭＡを使用しうる。
【００２７】
ＤＬおよびＵＬ送信をサポートするために、様々なフレーム構造が使用されうる。ＤＬのフレーム構造４００の例が、図４に関連して提示される。しかしながら、当業者が容易に認識するように、任意の特定のアプリケーションのためのフレーム構造は、任意の数の要因に依存して異なりうる。この例では、フレーム（１０ｍｓ）が、１０個の等しいサイズのサブフレームに分割される。各サブフレームは、２個の連続するタイムスロットを含む。
【００２８】
２個のタイムスロットを表すためにリソースグリッドが使用され、各タイムスロットは、リソースブロックを含む。リソースグリッドは、複数のリソースエレメントに分割される。ＬＴＥでは、１つのリソースブロックは、周波数ドメインに１２個の連続するサブキャリアを含み、通常のサイクリックプリフィクスの場合、各ＯＦＤＭシンボルにおいて、時間ドメインに７個の連続するＯＦＤＭシンボルを含み、すなわち、８４個のリソースエレメントである。リソースエレメントのうちのいくつかは、Ｒ ４０２，４０４で示されているように、ＤＬ基準信号（ＤＬ−ＲＳ）を含む。ＤＬ−ＲＳは、セル固有ＲＳ（ＣＲＳ）（共通ＲＳと呼ばれることもある）４０２と、ＵＥ固有ＲＳ（ＵＥ−ＲＳ）４０４とを含む。ＵＥ−ＲＳ ４０４は、対応する物理ダウンリンク共有チャネル（ＰＤＳＣＨ）がマッピングされたリソースブロック上でのみ送信される。各リソースエレメントによって搬送されるビット数は、変調スキームに依存する。このように、ＵＥが受信するリソースブロックが多いほど、また、変調スキームが高度であるほど、そのＵＥについてのデータレートは高くなる。
【００２９】
図５は、ＵＬフレーム構造の１つまたは複数の部分の例である。図５は、ＬＴＥにおけるＵＬのための例示的なフォーマットを示す。ＵＬのための利用可能なリソースブロックは、データセクションと制御セクションとに分けられうる。制御セクションは、システム帯域幅の両方のエッジに形成され、設定可能なサイズを有しうる。制御セクションのリソースブロックは、制御情報の送信のためにＵＥに割り当てられうる。データセクションは、制御セクションに含まれないすべてのリソースブロックを含みうる。図５における設計は、連続するサブキャリアを含むデータセクションに帰着し、それによって、データセクション内の連続するすべてのサブキャリアが単一のＵＥに割り当てられることを可能にしうる。
【００３０】
ＵＥは、ｅＮＢに制御情報を送信するために、制御セクションのリソースブロック５１０ａ、５１０ｂが割り当てられうる。ＵＥはまた、ｅＮＢにデータを送信するために、データセクションのリソースブロック５２０ａ、５２０ｂが割り当てられうる。ＵＥは、制御セクション内の割り当てられたリソースブロック上の物理アップリンク制御チャネル（ＰＵＣＣＨ）で、制御情報を送信しうる。ＵＥは、データセクション内の割り当てられたリソースブロック上の物理アップリンク共有チャネル（ＰＵＳＣＨ）で、データのみ、またはデータと制御情報の両方を送信しうる。ＵＬ送信は、図５に示すように、１つのサブフレームの両スロットに及び、周波数にわたってホッピングしうる。
【００３１】
図５に示されるように、物理ランダムアクセスチャネル（ＰＲＡＣＨ）５３０において、初期システムアクセスを実行して、ＵＬ同期を達成するために、リソースブロックのセットが使用されうる。ＰＲＡＣＨ ５３０は、ランダムシーケンスを搬送するが、任意のＵＬデータ／シグナリングを搬送することはできない。各ランダムアクセスプリアンブルは、連続する６個のリソースブロックに対応する帯域幅を占有する。開始周波数は、ネットワークによって特定される。すなわち、ランダムアクセスプリアンブルの送信は、ある特定の時間および周波数リソースに限られる。ＰＲＡＣＨの場合、周波数ホッピングはない。ＰＲＡＣＨ試行は、単一のサブフレーム（１ｍｓ）において、または、連続した数サブフレームのシーケンスで搬送され、ＵＥは、１フレーム（１０ｍｓ）ごとに１回のＰＲＡＣＨ試行しか行うことができない。
【００３２】
無線プロトコルアーキテクチャは、特定のアプリケーションに依存して様々な形態をとりうる。ＬＴＥシステムのための例が、図６に関連して提示される。
【００３３】
図６は、ユーザおよび制御プレーンのための無線プロトコルアーキテクチャの例を示す概念図である。
【００３４】
図６を参照すると、レイヤ１、レイヤ２、レイヤ３という３つのレイヤを有する、ＵＥおよびｅＮＢのための無線プロトコルアーキテクチャが示されている。レイヤ１は、最下位のレイヤであり、様々な物理レイヤ信号処理機能を実現する。レイヤ１は本明細書において物理レイヤ６０６と呼ばれるだろう。レイヤ２（Ｌ２レイヤ）６０８は物理レイヤ６０６の上にあり、物理レイヤ６０６にわたってＵＥとｅＮＢとの間のリンクを担う。レイヤ３（Ｌ３レイヤ）６１８は、Ｌ２レイヤ６０８の上にあり、制御プレーンでネットワークから無線リソースを取得すること、および、ユーザプレーンでアプリケーション機能をイネーブルにすることを担う。
【００３５】
ユーザプレーンでは、Ｌ２レイヤ６０８は、媒体アクセス制御（ＭＡＣ）サブレイヤ６１０、無線リンク制御（ＲＬＣ）サブレイヤ６１２、パケットデータコンバージェンスプロトコル（ＰＤＣＰ）６１４サブレイヤを含み、それらは、ネットワーク側のｅＮＢで終端する。示されていないが、ＵＥは、ネットワーク側のＰＤＮゲートウェイ２０８（図２参照）で終端するネットワークレイヤ（例えば、ＩＰサブレイヤ６２０）、および、接続の他端（例えば、遠端のＵＥ、サーバ、等）で終端するアプリケーションレイヤを含むいくつかの上位レイヤをＬ２レイヤ６０８よりも上に有しうる。
【００３６】
ＰＤＣＰサブレイヤ６１４は、異なる無線ベアラと論理チャネルとの間での多重化を提供する。ＰＤＣＰサブレイヤ６１４はまた、無線送信のオーバーヘッドを減らすために上位レイヤのデータパケットに対してヘッダ圧縮を提供し、それらのデータパケットを暗号化することによってセキュリティを提供し、ｅＮＢ間でのＵＥのハンドオーバーのサポートを提供する。ＲＬＣサブレイヤ６１２は、上位レイヤのデータパケットのセグメンテーションおよびリアセンブリと、損失データパケットの再送と、ハイブリッド自動再送要求（ＨＡＲＱ）により順序が乱れた受信を補償するためのデータパケットの並び替えと、を提供する。ＭＡＣサブレイヤ６１０は、論理チャネルと転送チャネルとの間の多重化を提供する。ＭＡＣサブレイヤ６１０はまた、１つのセルにおける様々な無線リソース（例えば、リソースブロック）の複数のＵＥ間での割り当てを担う。ＭＡＣサブレイヤ６１０はまた、ＨＡＲＱ動作を担う。
【００３７】
さらに、ユーザプレーンにおいて、Ｌ３レイヤ６１８は、インターネットプロトコル（ＩＰ）サブレイヤ６２０、およびアプリケーションサブレイヤ６２２を含む。アプリケーションサブレイヤ６２２は、ＵＥ、ｅＮＢ、等のオペレーティングシステム（ＯＳ）との通信に使用されうる。
【００３８】
制御プレーンにおいて、ＵＥおよびｅＮＢのための無線プロトコルアーキテクチャは、制御プレーンのためのヘッダ圧縮機能がないという点を除き、物理レイヤ６０６およびＬ２レイヤ６０８の場合と実質的に同一である。制御プレーンはまた、レイヤ３に無線リソース制御（ＲＲＣ）サブレイヤ６１６を含む。ＲＲＣサブレイヤ６１６は、無線リソース（すなわち、無線ベアラ）を取得することと、ｅＮＢとＵＥとの間でＲＲＣシグナリングを使用して下位レイヤを構成することとを担う。
【００３９】
図７は、アクセスネットワークにおいてＵＥ ７５０と通信状態にあるｅＮＢ ７１０のブロック図である。ＤＬにおいて、コアネットワークからの上位レイヤパケットが、コントローラ／プロセッサ７７５に提供される。コントローラ／プロセッサ７７５は、図６に関して上で説明されたＬ２レイヤの機能を実現する。ＤＬにおいて、コントローラ／プロセッサ７７５は、ヘッダ圧縮、暗号化、パケットのセグメンテーションおよび並び替え、論理チャネルと転送チャネルとの間での多重化、様々な優先度メトリックに基づいたＵＥ ７５０への無線リソース割付を提供する。コントローラ／プロセッサ７７５はまた、ＨＡＲＱ動作、損失パケットの再送、ＵＥ ７５０へのシグナリングを担う。
【００４０】
ＴＸプロセッサ７１６は、Ｌ１レイヤ（すなわち、物理レイヤ）のための様々な信号処理機能を実現する。信号処理機能は、ＵＥ ７５０における前方誤り訂正（ＦＥＣ）を容易にするために符号化およびインターリーブすることと、様々な変調スキーム（例えば、２相位相変調（ＢＰＳＫ）、直交位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。次に、符号化および変調されたシンボルは並行ストリームへと分割される。次に、各ストリームは、ＯＦＤＭサブキャリアにマッピングされ、時間および／または周波数ドメインにおいて基準信号（例えば、パイロット）と多重化され、時間ドメインのＯＦＤＭシンボルストリームを搬送する物理チャネルを生成するために高速フーリエ逆変換（ＩＦＦＴ）を用いて互いに組み合わせられる。ＯＦＤＭストリームは、複数の空間ストリームを生成するために空間的にプリコーディングされる。チャネル推定器７７４からのチャネル推定値が、符号化および変調スキームを決定するため、および空間処理のために使用されうる。チャネル推定値は、ＵＥ ７５０によって送信される基準信号および／またはチャネル条件のフィードバックから導出されうる。次に、各空間ストリームは、別個の送信機７１８ＴＸを介して異なるアンテナ７２０に提供される。各送信機７１８ＴＸは、送信のために、ＲＦキャリアをそれぞれの空間ストリームによって変調する。
【００４１】
ＵＥ ７５０において、各受信機７５４ＲＸは、それぞれのアンテナ７５２を通して信号を受信する。各受信機７５４ＲＸは、ＲＦキャリア上に変調された情報を復元し、その情報を受信機（ＲＸ）プロセッサ７５６に提供する。
【００４２】
ＲＸプロセッサ７５６は、Ｌ１レイヤの様々な信号処理機能を実現する。ＲＸプロセッサ７５６は、ＵＥ ７５０に向けられた任意の空間ストリームを復元するために、その情報に対して空間処理を実行する。複数の空間ストリームがＵＥ ７５０に向けられている場合、それらは、ＲＸプロセッサ７５６によって単一のＯＦＤＭシンボルストリームへと組み合わせられうる。次に、ＲＸプロセッサ７５６は、高速フーリエ変換（ＦＦＴ）を用いて、そのＯＦＤＭシンボルストリームを時間ドメインから周波数ドメインへと変換する。周波数ドメインの信号は、ＯＦＤＭ信号のサブキャリアごとに別個のＯＦＤＭシンボルストリームを備える。各サブキャリアにおけるシンボル、および基準信号は、ｅＮＢ ７１０によって送信された最も可能性の高い信号コンステレーションポイントを決定することによって復元および復調される。これらのソフト決定は、チャネル推定器７５８によって計算されたチャネル推定値に基づきうる。次に、これらのソフト決定は、物理チャネルにおいてｅＮＢ ７１０により元々送信されたデータおよび制御信号を復元するために、復号およびデインターリーブされる。次に、データおよび制御信号が、コントローラ／プロセッサ７５９に提供される。
【００４３】
コントローラ／プロセッサ７５９は、図６に関して前に説明されたＬ２レイヤを実現する。ＵＬにおいて、コントローラ／プロセッサ７５９は、転送チャネルと論理チャネルとの間でのデマルチプレクシング、パケットのリアセンブリ、解読、ヘッダ圧縮解除、制御信号処理を提供して、コアネットワークからの上位レイヤパケットを復元する。次に、上位レイヤパケットは、データシンク７６２に提供され、それは、Ｌ２レイヤより上位のすべてのプロトコルレイヤを表す。様々な制御信号もまた、Ｌ３処理のために、データシンク７６２に提供されうる。コントローラ／プロセッサ７５９はまた、ＨＡＲＱ動作をサポートするために、肯定応答（ＡＣＫ）および／または否定応答（ＮＡＣＫ）プロトコルを使用した誤り検出を担う。
【００４４】
ＵＬにおいて、データソース７６７は、コントローラ／プロセッサ７５９に上位レイヤパケットを提供するために使用される。データソース７６７は、Ｌ２レイヤ（Ｌ２）より上位のすべてのプロトコルレイヤを表す。ｅＮＢ ７１０によるＤＬ送信に関連して説明された機能と同様に、コントローラ／プロセッサ７５９は、ヘッダ圧縮、暗号化、パケットのセグメンテーションと並び替え、およびｅＮＢ ７１０による無線リソース割付に基づいた論理チャネルと転送チャネルとの間での多重化を提供することにより、ユーザプレーンおよび制御プレーンのためのＬ２レイヤを実現する。コントローラ／プロセッサ７５９はまた、ＨＡＲＱ動作、損失パケットの再送、ｅＮＢ ７１０へのシグナリングを担う。
【００４５】
ｅＮＢ ７１０によって送信された基準信号またはフィードバックからチャネル推定器７５８によって導出されたチャネル推定値は、適切な符号化および変調スキームを選択し、空間処理を容易にするために、ＴＸプロセッサ７６８によって使用されうる。ＴＸプロセッサ７６８によって生成された空間ストリームは、別個の送信機７５４ＴＸを介して異なるアンテナ７５２に提供される。各送信機７５４ＴＸは、送信のために、ＲＦキャリアを、それぞれの空間ストリームで変調する。
【００４６】
ＵＬ送信は、ＵＥ ７５０における受信機機能に関連して説明されたものと同様の方法で、ｅＮＢ ７１０において処理される。各受信機７１８ＲＸは、それぞれのアンテナ７２０を通して信号を受信する。各受信機７１８ＲＸは、ＲＦキャリア上に変調された情報を復元し、その情報をＲＸプロセッサ７７０に提供する。ＲＸプロセッサ７７０は、Ｌ１レイヤを実現する。
【００４７】
コントローラ／プロセッサ７５９は、図６に関して上で説明されたＬ２レイヤを実現する。ＵＬにおいて、コントローラ／プロセッサ７５９は、転送チャネルと論理チャネルとの間での逆多重化、パケットのリアセンブリ、解読、ヘッダ圧縮解除、制御信号処理を提供して、ＵＥ ７５０からの上位レイヤパケットを復元する。コントローラ／プロセッサ７５９からの上位レイヤパケットは、コアネットワークに提供されうる。コントローラ／プロセッサ７５９はまた、ＨＡＲＱ動作をサポートするための、ＡＣＫおよび／またはＮＡＣＫプロトコルを用いた誤り検出を担う。
【００４８】
図１に関連して説明された処理システム１１４は、ＵＥ ７５０を含む。特に、処理システム１１４は、ＴＸプロセッサ７６８、ＲＸプロセッサ７５６、およびコントローラ／プロセッサ７５９を含む。
【００４９】
図８、１２、１３、および１４は、堤示された主題の様々な態様にしたがった様々な方法を示す。説明を簡単にするために、方法は一連の動作または連続したステップとして示され、説明されているが、いくつかの動作は、本明細書に示され説明されているものとは異なる順序でおよび／または他の動作と同時に起こりうるため、請求されている主題が、動作の順序によって限定されないということは、理解および認識されるべきである。例えば、当業者は、方法が、状態図のような一連の相関状態またはイベントとして、代替的に表されることができるということを理解および認識するだろう。さらに、請求されている主題にしたがって、方法を実現するために、示されたすべて動作が要求されるわけではない。さらに、以下および本明細書全体にわたって開示されている方法が、そのような方法をコンピュータに転送および移送することを容易にするために、製品に記憶されることができることは、さらに認識されるべきである。本明細書において使用される場合、製品（article of manufacture）という用語は、任意のコンピュータ読取可能なデバイス、キャリア、または媒体からアクセス可能なコンピュータプログラムを含むことが意図されている。
【００５０】
図８は、アクセスネットワーク８００における例示的なｅＨＲＰＤセットアッププロシージャの例を示す呼出フロー図である。アクセスネットワーク８００は、ＵＥ ８０２、ｅＮＢ、ＭＭＥ、発展型アクセスネットワーク／パケット制御機能（ｅＡＮ／ＰＣＦ）８０４、ｅＨＲＰＤサービングゲートウェイ（ＨＳＧＷ）８０６、ポリシ課金ルール機能（ＰＣＲＦ）８０８、１つまたは複数のパケットデータネットワークゲートウェイ（ＰＤＮ−ＧＷ）８１０、３ＧＰＰ２認証許可アカウンティング（ＡＡＡ）サーバ８１２、およびホーム加入者サーバ（ＨＳＳ）ＡＡＡサーバ８１４を含みうる。
【００５１】
動作８１６において、ＵＥ ８０２およびｅＡＮ／ＰＣＦ ８０４は、ｅＨＲＰＤセッション交渉を実行しうる。動作８１８において、ｅＡＮ／ＰＣＦ ８０４は、ＵＥ ８０２をＨＳＧＷ ８０６に登録しうる。一態様において、登録は、モバイルＩＰ登録要求（ＲＲＱ）および登録応答（ＲＲＰ）通信を通して実行されうる。一態様において、ｅＡＮ／ＰＣＦ ８０４およびＨＳＧＷ ８０６は、Ａ１１接続を通して通信しうる。動作８２０において、ポイント・ツー・ポイントプロトコル（ＰＰＰ）プロシージャの一部として、ＵＥ ８０２およびＨＳＧＷ ８０６は、リンク制御プロトコル（ＬＣＰ）通信を通信しうる。動作８２２ａ〜ｃにおいて、ＵＥ ８０２は、拡張可能な認証プロトコル／認証キー承諾（ＥＡＰ／ＡＫＡ’）メッセージを３ＧＰＰ２／ＡＡＡサーバ８１２および／またはＨＳＳ ＡＡＡサーバ８１４に通信することを通して、ｅＨＲＰＤセッションの認証を試みうる。詳細に以下で説明されるように、認証要求の拒否により、ｅＨＲＰＤ無線接続を有するＵＥ ８１２は、データを受信できない状態になりうる。このように、ＵＥ ８０２にデータを提供して、上述された状況を回避するために、様々なスキームが下で説明される。
【００５２】
対照的に、動作８２２ａ〜ｃで認証が成功したと想定すると、動作８２４ａ〜ｃにおいて、ＵＥ ８０２およびＨＳＧＷ ８０６は、ＰＣＲＦ ８０８を通して、ＰＤＮ−ＧＷ ８１０と１つまたは複数のＰＤＮ接続を確立する。動作８２６ａ〜ｂにおいて、ＵＥ ８０２は、データ通信をサポートするために専用ベアラ（例えば、ＵＥ始動のおよび／またはネットワーク始動の）を確立しうる。
【００５３】
図９は、様々な装置１００（図１参照）を用いるネットワークアーキテクチャ９００を示す図である。ネットワークアーキテクチャ９００は、複数のアクセスネットワークを含みうる。１つのそのようなアクセスネットワークは、発展型パケットシステム（ＥＰＳ）２００と呼ばれうる。ＥＰＳは、１つまたは複数のユーザ機器（ＵＥ）９０２、次世代ＵＭＴＳ地上無線アクセスネットワーク（Ｅ−ＵＴＲＡＮ）９０４、発展型パケットコア（ＥＰＣ）９１０、サービングゲートウェイ（ＳＧＷ）９０６、パケットデータネットワーク（ＰＤＮ）ゲートウェイ９０８、およびオペレータのＩＰサービス９１２を含みうる。さらに、ネットワークアーキテクチャ９００は、ＨＲＰＤ基地局（ＢＴＳ）９１４、発展型アクセスネットワーク／パケット制御機能（ｅＡＮ／ＰＣＦ）９１６、およびｅＨＲＰＤサービスゲートウェイ（ＨＳＧＷ）９１８を含みうる。上述されたエレメントは、３ＧＰＰコアネットワーク（例えば、ＥＰＣ ９１０）によってサービス提供されうる。
【００５４】
さらに、ネットワークアーキテクチャ９００内のいくつかのコンポーネントは、３ＧＰＰ２コアネットワーク９２４によってサービス提供されうる。そのようなコンポーネントは、アクセスネットワーク／パケット制御機能（ＡＮ／ＰＣＦ）９２０、パケットデータサービングノード（ＰＤＳＮ）９２２、１ｘ無線送信技術（１ｘＲＴＴ）ＢＴＳ ９２６、および基地局コントローラ／パケット制御機能（ＢＳＣ／ＰＣＦ）９２８を含む。本明細書で使用される場合、ＨＲＰＤセッションおよびｅＨＲＰＤセッションはいずれも、発展型データ専用（１ｘＥＶ−ＤＯ）サービスによってサポートされうる。一般的に、１ｘＥＸ−ＤＯセッションは、２つのパーソナリティ（例えば、ＨＲＰＤおよびｅＨＲＰＤ）を有しうる。ＵＥ ９０２は、ＨＲＰＤパーソナリティからｅＨＲＰＤパーソナリティに切り替えうる。それを行う複数の方法が存在する。限定されない例として、ＵＥ ９０２は、１ｘＥＶ−ＤＯセッションを終了し、ｅＨＲＰＤパーソナリティを有する新しい１ｘＥＶ−ＤＯを開始する。
【００５５】
一般的に、１ｘＥＶ−ＤＯ無線ネットワーク（ＨＲＰＤ ＢＴＳ ９１４によってサポートされる）上にある場合、マルチモードデバイス（例えば、ＵＥ ９０２）は、ｅＨＲＰＤ無線パーソナリティを使用している間はＥＰＣ ９１０コアネットワークにアクセスし、ＨＲＰＤ無線パーソナリティにある間は３ＧＰＰ２コアネットワーク９２４にアクセスしうる。さらに、ＵＥ ９０２は、ｅＨＲＰＤ無線パーソナリティをＥＰＣ ９１０と交渉しようとしうる。ｅＨＲＰＤパーソナリティの交渉が成功した後、ＵＥ ９０２は、ＥＰＣ ９１０にアクセスするために、ＨＳＧＷ ９１８とのＥＡＰ−ＡＫＡ’認証を実行しようと試みうる。ＥＡＰ−ＡＫＡ’認証失敗に遭遇すると、既存のＵＥは、失敗した認証によりデータサービスが提供されないにもかかわらず、ｅＨＲＰＤ上にい続ける。いずれのネットワークエンティティも、ＨＲＰＤのためのＵＥ無線パーソナリティへの切替を開始しないため、そのようなＵＥは、この状態でありつづけうる。さらに、コアネットワーク（例えば、ＥＰＣ ９１０）は、無線ネットワークと通信して、無線ネットワークに対して、ＵＥの無線パーソナリティを切り替えるように知らせない場合があるため、ＵＥがＨＲＰＤパーソナリティをイネーブルにした場合に、ＵＥは、ＵＥが３ＧＰＰ２コアネットワークからデータサービスを提供できるにもかかわらず、非効率的なパーソナリティ上にあり続けうる。一態様において、ＵＥ ９０２は、例えば、ＵＥ ９０２がｅＨＲＰＤ無線パーソナリティを使用していた場合、ＥＰＣ ９１０コアネットワークを含む第１のシステムとのＥＡＰ−ＡＫＡ’認証失敗に遭遇すると、および／または、遭遇に応じて、ＨＲＰＤへの無線パーソナリティの切替を始動しうる。ＵＥ ９０２は、ＨＲＰＤパーソナリティに切り替え、データサービスを３ＧＰＰ２コアネットワーク９２４から受信しうる。一態様において、ＵＥ ９０２は、３ＧＰＰ２コアネットワーク９２４を通してＨＲＰＤサービスを受信しながら、ＵＥ ９０２は、ＥＰＣ ９１０を通してｅＨＲＰＤサービスを受信するために、ｅＨＲＰＤパーソナリティに切り替えて、ＥＡＰ−ＡＫＡ’認証を再び試みうる。一態様において、ＵＥ ９０２は、ＨＲＰＤサービスを受信するが、ＵＥ ９０２は、ＬＴＥサービスとＥＶ−ＤＯサービスとの間で遷移しうる。別態様において、ＵＥ ９０２は、１ｘ専用カバレッジとＥＶ−ＤＯサービスとの間で遷移しうる。そのような態様において、ＵＥ ９０２は、ＵＥ ９０２がいつ第１のシステムの認証プロシージャの再開を試みるべきかに関して別々に応答しうる。これらの様々なアプローチが、限定されない例として、図１１Ａ、１１Ｂ、および１１Ｃを参照して説明される。
【００５６】
一例において、図８について上述されたように、ＵＥ ９０２は、ｅＨＲＰＤセッションにアクセスしようと試みうる。そのような態様において、ＵＥ ９０２は、ＨＲＰＤ ＢＴＳ ９１４、ｅＡＮ／ＰＣＦ ９１６、ＨＳＧＷ ９１８、およびＰＤＮゲートウェイ９０８を通して、ＥＡＰ−ＡＫＡ’要求をＥＰＣ ９１０に通信しうる。さらに詳細に下で説明されるように、ＵＥ ９０２は、第１のシステム（例えば、ＬＴＥ、ｅＨＲＰＤ、等）についての１つまたは複数の認証が失敗したとの決定に応じて、フォールバックシステム（例えば、ＨＲＰＤ、１ｘＥＶ−ＤＯ、ｅＨＲＰＤ、等）と新しいセッションを確立しうる。
【００５７】
別の動作的な態様において、ＵＥ ９０２は、ＬＴＥセッションを通してＥＰＣ ９１０にアタッチすることを試みうる。ｅＨＲＰＤセッションとＬＥＴセッションは両方ともＥＰＣ ９１０によってサポートされうるため、一方の失敗は、もう一方の失敗の起こりうる可能性を示しうる。例えば、ｅＨＲＰＤ ＥＡＰ−ＡＫＡ’およびＬＴＥ認証失敗は、一般的なＥＰＣ ９１０の認証情報（credential）失敗であるとみなされうる。一態様において、ＬＴＥアタッチメント失敗についての特定の原因コードは、一般的なＥＰＣ ９１０の認証情報失敗を示すものとみなされうる。一態様において、サービスキャリアは、そのような原因コードを識別するためにネットワークベンダと連携しうる。一態様において、ＵＥ ９０２が、ＨＲＰＤからＬＴＥへ遷移し、ＬＴＥアタッチ失敗に遭遇した場合、ＥＶ−ＤＯに戻った後に、ＵＥ ９０２は、タイマ（例えば、BackToEHRPDTimer）をリセットして、ｅＨＲＰＤセッションの認証をいつ試みるかを示しうる。限定されない例として、原因コードは、原因コード＃３（例えば、違法ＵＥ ９０２）、原因コード＃５（例えば、違法モバイル機器（ＭＥ））、原因コード＃７（例えば、許可されていないＥＰＳサービス）、または原因コード＃８（例えば、許可されていないＥＰＳサービスおよび非ＥＰＳサービス）によるアタッチ拒否を含みうる。いくつかの態様では、より多くの数の原因コード、より少ない数の原因コード、および／または異なる原因コードが用いられうる。ＬＴＥアタッチメントの認証失敗に応じて、ＵＥ ９０２は、３ＧＰＰコアネットワーク９２４を通したＨＲＰＤセッションへのアクセスにフォールバックしうる。さらに、試みをデクリメントするためにカウンタが使用されうる態様では、カウンタがゼロまたはある他の値に達したときにｅＨＲＰＤセッションを認証しようとする試みをやめる前に、ＬＴＥセッションの認証失敗もまた同じカウンタをデクリメントしうる。ある態様において、確立されたｅＨＲＰＤパーソナリティおよび前のＥＡＰ−ＡＫＡ’認証成功を有するＵＥは、ＬＴＥシステムに遷移しうる。しかしながら、ＬＴＥアタッチは、認証失敗により失敗しうる。そのような態様において、ＵＥは、試行カウンタを更新することで、そのようなＬＴＥ認証失敗を考慮しうる（例えば、試行カウンタのカウントを１つ減らすことで）。ＤＯシステムに戻った後、ＵＥは、試行カウンタのカウントが閾値を超えない場合（例えば、カウンタが０よりも大きい場合）、ｅＨＲＰＤパーソナリティを使用し続けうる。
【００５８】
別の態様において、ＵＥは、ＬＴＥシステムに遷移しうる。このＵＥは、ＤＯセッションを有さない可能性がある（例えば、いずれの無線パーソナリティも確立されていない）。ＬＴＥアタッチは、認証失敗により、失敗しうる。ＵＥは、試行カウンタを更新することで（例えば、試行カウンタのカウントを１つ減らすことで）、そのようなＬＴＥ認証失敗をカウントしうる。ＵＥがＤＯシステムに遷移すると、ＵＥは、試行カウンタのカウントが閾値を超えない場合（例えば、カウンタが０よりも大きい場合）、ｅＨＲＰＤパーソナリティを確立しうる。そうでない場合（例えば、カウントが０に等しい場合）、ＵＥは、ＨＲＰＤパーソナリティを確立しうる。
【００５９】
別の動作的な態様において、ｅＨＲＰＤセッションへのアクセスを試みる間、ＵＥ ９０２が１つまたは複数の認証失敗を示すインジケーションを受信すると、ＵＥ ９０２は、少なくとも閾値の持続時間の間、ＬＴＥアタッチメントプロシージャをディスエーブルにするように動作可能でありうる。上述されたように、ｅＨＲＰＤセッションとＬＥＴセッションは両方ともＥＰＣ ９１０によってサポートされており、そのため、一方の失敗は、もう一方失敗の起こりうる可能性を示しうる。
【００６０】
ＵＥ ９０２が１ｘＲＴＴのＢＴＳを通してのみサポートされる別の動作的な態様において、タイマは、ポーズなく維持されうる。ＵＥ ９０２がＥＶ−ＤＯカバレッジ領域に戻った後、ＵＥ ９０２は、タイマ（例えば、BackToEHRPDTimer）が期限切れ（expire）になった後に、ｅＨＲＰＤへのアクセスを試みうる。
【００６１】
図１０は、ユーザ機器１０００の例示的なアーキテクチャを示す。ＵＥ １０００は、例えば、受信アンテナ（示されない）から信号を受信する受信機１００２を備え、受信された信号に対して典型的な動作（例えば、フィルタリング、増幅、ダウンコンバート、等）を実行し、調整されたシンボルをデジタル化して、サンプルを取得する。受信機１００２は、受信されたシンボルを復調して、それらをチャネル推定のためにプロセッサ１００６に提供することができる復調器１００４を備えうる。プロセッサ１００６は、受信機１００２によって受信された情報を分析すること、および／または、送信機１０２０による送信についての情報を生成すること専用のプロセッサ、ＵＥ １０００の１つまたは複数のコンポーネントを制御するプロセッサ、および／または、受信機１００２によって受信された情報を分析し、送信機１０２０による送信についての情報を生成することと、ＵＥ １０００の１つまたは複数のコンポーネントを制御することの両方のプロセッサでありうる。
【００６２】
ＵＥ １０００はさらに、プロセッサ１００６に動作可能に結合されており、送信されるべきデータ、受信されたデータ、利用可能なチャネルに関連する情報、分析された信号および／または干渉強度に関連付けられたデータ、割り当てられたチャネル、電力、レート、等に関する情報、ならびに、チャネルを推定し、このチャネルを介して通信することについての任意の他の適切な情報を記憶することができるメモリ１００８を備えうる。
【００６３】
さらに、プロセッサ１００６は、第１のデータサービスとデータセッションを確立する前、または確立中に、１つまたは複数のフォールバック条件が存在するか否かを決定するための手段、および、１つまたは複数のフォールバック条件のうちの少なくとも１つが存在するとの決定に基づいて、第１のデータサービスにアクセスするためにデータコンテキストを確立しようとするさらなる試みを禁止するための手段を提供することができる。
【００６４】
本明細書で説明されるデータ記憶装置（例えば、メモリ１００８）が、揮発性メモリまたは不揮発性メモリのいずれかであること、あるいは、揮発性と不揮発性メモリの両方を含むことができるということは認識されるだろう。限定ではなく例として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能なＰＲＯＭ（ＥＥＰＲＯＭ）、またはフラッシュメモリを含むことができる。揮発性メモリは、外部キャッシュメモリとして機能するランダムアクセスメモリ（ＲＡＭ）を含むことができる。限定ではなく例示として、ＲＡＭは、同期ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲＳＤＲＡＭ）、エンハンスドＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）のような、多くの形態で利用可能である。主題のシステムおよび方法のメモリ１００８は、これらの、および任意の他の適切なタイプのメモリを備えるが、これらに限定されるわけではない。
【００６５】
ＵＥ １０００はさらに、第１のデータサービス（例えば、ｅＨＲＰＤデータサービス）とデータコンテキストを確立する前または確立中に、１つまたは複数のフォールバック条件が存在するか否かに基づいて、第２のデータサービス（例えば、ＨＲＰＤデータサービス）へのフォールバックをイネーブルにするように動作可能なデータサービスアクセスモジュール１０３０を含む。データサービスアクセスモジュール１０３０は、第１のデータサービスとのデータコンテキストの確立を試みるように動作可能でありうる第１のデータサービスアクセスモジュール１０３２を含みうる。データサービスアクセスモジュール１０３０はさらに、ｅＨＲＰＤ上でいくつか失敗に遭遇すると、または、いくつかのｅＨＲＰＤ能力関連条件の変化に応じて、ｅＨＲＰＤからＨＲＰＤへのフォールバックをサポートするように動作可能でありうるフォールバック条件決定モジュール１０３４を含みうる。ある態様において、フォールバック条件決定モジュール１０３４は、限定されないが、ＵＥ １０００のｅＨＲＰＤ能力能セッティング、認証情報の利用性（例えば、ＵＳＩＭ、不揮発性メモリからの）、ＵＥ １０００のｅＨＲＰＤ能力のためのネットワーキングセッティングのようなＵＥ １０００の能力に関連付けられた様々なフォールバック条件を検出するように動作可能でありうる。ｅＨＲＰＤ能力サポートが無いことをＵＥ １０００が示す動作的な態様において、データサービスアクセスモジュール１０３０は、データ専用（ＤＯ）セッションを交渉する際に、ｅＨＲＰＤ能力をアドバタイズしない可能性がある。別の態様において、フォールバック条件決定モジュール１０３４は、データサービスアクセスの認証失敗に関連付けられた様々なフォールバック条件を検出するように動作可能でありうる。例えば、データサービスアクセス失敗は、様々なＰＰＰ／ＩＰレイヤプロシージャの間に発生しうる。別の態様において、フォールバック条件決定モジュール１０３４は、ローミングインジケーション、等であるがそれらに限定されない他の条件に関連付けられた様々なフォールバック条件を検出するように動作可能でありうる。オプションの態様において、フォールバック条件決定モジュール１０３４に関連付けられた様々な機能および／または特徴は、ユーザおよび／またはオペレータの選好に基づいてオンまたはオフにされうる。ある態様では、ＵＥ １０００がＬＣＰレベルの失敗に遭遇した場合、ＵＥ １０００は、ＨＲＰＤにフォールバックしうる。ＬＣレベルの失敗は、ハードフォールバック失敗とソフトフォールバック失敗とに分類されうる。ある態様において、設定可能な数（例えば、MaxHardFBFailureCnt）のハードフォールバック失敗に遭遇すると、ＵＥ １０００は、ＨＲＰＤにフォールバックするように促されうる。そのような態様において、MaxHardFBFailureCntが非ゼロ値に設定された場合、ＥＡＰ−ＡＫＡ’認証失敗（例えば、エラーコード０または１６３８４での明示的なネットワーク拒否）は、ハードフォールバック失敗とみなされうる。別の態様において、MaxHardFBFailureCntがゼロに設定された場合、明示的な認証失敗は、ソフトフォールバック失敗とみなされうる。別の態様において、設定可能な数（例えば、MaxSoftFBFailureCnt）のソフトフォールバック失敗に遭遇すると、ＵＥは、ＨＲＰＤにフォールバックしうる。そのような態様において、認証失敗（明示的なネットワーク拒否）以外のＰＰＰ ＬＣＰレベルの失敗は、ソフトフォールバック失敗とみなされうる。さらに、MaxSoftFBFailureCntがゼロに設定された場合、ソフトフォールバック失敗は、ＨＲＰＤへのフォールバックを引き起こさない可能性がある。そのため、動作的な態様において、ＬＣＰレベルの失敗に応じたＨＲＰＤへのフォールバックは、MaxHardFBFailureCntとMaxSoftFBFailureCntの両方をゼロに設定することでディスエーブルにされうる。表１は、ハードフォールバックおよびソフトフォールバックのカウンタに関連付けられた例示的な構成を提供する。
【表１】
0005960255.tif 000002
【００６６】
別の態様において、フォールバック条件決定モジュール１０３４は、ＰＤＮ接続失敗に関連づけられたフォールバック条件を検出しうる。ある態様において、ＵＥ １０００が、設定可能な回数、指定のＡＰＮリスト（例えば、FallbackAPNListと表される）にリストされた任意のＡＰＮへの接続に失敗すると、ＵＥは、ＨＲＰＤにフォールバックしうる。別の態様において、フォールバック条件決定モジュール１０３４は、ＵＥ １０００がローミングしているか否かに基づいて、ｅＨＲＰＤ能力をアドバタイズする（例えば、ＨＲＰＤへのフォールバックを促す）か否かを決定しうる。ホームネットワークとローミングネットワークとの間で移動する場合、ホームネットワークとローミングネットワークとの間にＡ１３が存在しないため、ＤＯセッションはネットワークによって終了されうる。そのため、新しいセッションを開始するたびに、ＵＥ １０００は、「ローミング」インジケーションを考慮して、ｅＨＲＰＤ／ＨＲＰＤ能力を決定しうる。ローミングインジケーションがＴＲＵＥを示す場合、ＵＥは、ＨＲＰＤ能力を提案しうる。ローミングインジケーションがＦＡＬＳＥを示し、他のｅＨＲＰＤ能力条件が満たされた場合、ＵＥは、ｅＨＲＰＤ能力を提案しうる。表３は、様々な設定可能なフォールバック条件に対して例示的な動作値を提供する。
【表２】
0005960255.tif 000003
【００６７】
別の態様において、フォールバック条件決定モジュール１０３４は、ＵＥ １０００がトンネリングモードで動作していることを検出するように動作可能でありうる。ＵＥ １００が、Ｓ１０１インターフェースを通してｅＡＮ／ＨＳＧＷに接続している場合、ＬＣＰレベルの失敗およびＰＤＮ失敗は、ＨＲＰＤフォールバックを引き起こさない可能性がある。さらに、ＵＥ １０００が、トンネリングにある間にｅＨＲＰＤ能力条件を評価する場合、ＵＥ １０００は、ローミングインジケーションを考慮しない可能性がある。むしろ、ＵＥ １０００がＳ１０１インターフェース（例えば、トンネリング）を通して動作しており、ＵＥ １０００がｅＨＲＰＤパーソナリティを使用している間、１つまたは複数のｅＨＲＰＤ能力条件（ＬＣＰレベルの失敗、ＰＤＮ失敗、およびローミングインジケーションを除く）が「満たされない」になると、ＵＥは、現在のセッションを終了し、トンネリングを通してＨＲＰＤ能力を有する新しいセッションを提案する。そのような態様では、ｅＨＲＰＤのために作り出されたＰＰＰ／ＩＰコンテキストがリリースされうる。ＵＥ １０００は、Ｓ１０１インターフェースを通してＨＲＰＤのためにデータセッションを作り出しうる。さらにその後、ＵＥ １０００が事前登録を可能にするＬＴＥ領域にいる間に、ＵＥ １０００がｅＨＲＰＤ能力条件を再評価し、すべての条件が満たされると、ＵＥは、現在のセッションを終了し、Ｓ１０１インターフェースを通してｅＨＲＰＤ能力を有する新しいセッションを開始しようとする。換言すると、そのような態様では、ＵＥ １０００が、Ｓ１０１インターフェースを通してｅＡＮに接続し、ｅＨＲＰＤ能力を復元することを決定した場合、ＵＥ １０００は、Ｓ１０１インターフェースを通してｅＨＲＰＤ能力を復元しうる。
【００６８】
１つまたは複数のフォールバック条件が存在するとの決定に応じて、第２のデータサービスアクセスモジュール１０３６は、第２のデータサービス（例えば、ＨＲＰＤ）へのアクセスを試みうる。さらに、データアクセスサービスモジュール１０３０は、１つまたは複数の失敗フラッグを「Ｔｒｕｅ」に設定しうる。例えば、MaxHardFBFailureCntまたはMaxSoftFBFailureCntのいずれかに達すると、ＵＥは、フラッグ（例えば、FBOnLCPFailure）をＴＵＲＥに設定し、ＨＲＰＤにフォールバックしうる。ＨＲＰＤへのフォールバックを決定すると、ＵＥは、現在のシステムに関連付けられたｅＨＲＰＤ ＤＣＴＭスロットリングカウンタおよびタイマをクリアする。さらに、ＵＥは、FBOnLCPFailureをＦＡＬＳＥにリセットし、ハードおよびソフトフォールバック失敗カウンタをクリアしうる。ＵＥが、失敗したＬＣＰプロシージャに成功した場合、ＵＥは、ハードおよびソフトフォールバック失敗カウンタをクリアするだろう。表３は、ＬＣＰレベルの失敗およびＰＤＮ失敗に関連付けられたフォールバックフラッグ値の例を提供する。
【表３】
0005960255.tif 000004
【００６９】
オプションの態様において、ＵＥは、値（例えば、MaxPDNFBFailureCnt）をゼロに設定することで、ＰＤＮ失敗に応じたＨＲＰＤへのフォールバックの特徴がオンまたはオフにされることを可能にしうる。
【００７０】
データサービスアクセスモジュール１０３０はさらに、第１のデータサービスアクセス再試行トリガモジュール１０３８を含みうる。第１のデータサービスアクセス再試行トリガモジュール１０３８が、ｅＨＲＰＤ能力の復元を決定すると、ＵＥ １０００は、現在の第２のデータサービスのデータセッションを終了し（SessionCloseメッセージを送ることによって）、ｅＨＲＰＤ能力を有する新しいセッションを提案する。ある態様において、再試行トリガは、イベントベースおよび／またはタイマベースでありうる。イベントベースのトリガには、フォールバック失敗条件以外の理由により終了した後にセッションが再開されるとの決定、ＵＥがＬＴＥネットワークに成功裏にアタッチされたとの決定、および、電力サイクルが完了したとの決定、等が含まれるがそれらに限定されるわけではない。例えば、セッションは、ｅＨＲＰＤ ＬＣＰレベルの失敗またはＰＤＮ接続フォールバック失敗以外の理由により終了した（ネットワーク／ＵＥによって）後に再開する。ＵＥは、新しいセッションを交渉する際にｅＨＲＰＤ能力条件が満たされると、ｅＨＲＰＤ能力を提案しうる。そのようなセッションの再開は、Ａ１３がＡＮとｅＡＮとの間でサポートされていない間にＵＥ １０００がＡＮとｅＡＮとの間で動く場合、発生しうる。そのような移動の間、ネットワークは、Ａ１３がサポートされていない場合にセッションを終了するように構成されうる。そのようなセッションの再開が発生しうる別の例は、ＵＥ １０００がサブネット境界を横切って移動する場合である。そのようなセッションの再開が発生しうるさらに別の例は、ネットワークにおいてフォールバック失敗が解決した後にネットワークがセッションを終了する場合である。別の例において、ＵＥ １０００は、ＬＴＥネットワークに成功裏にアタッチされうる。そのような態様では、ＤＯへの遷移に応じて、現在のセッションがＨＲＰＤであり、ｅＨＲＰＤ能力条件が満たされた場合、ＵＥは、ｅＨＲＰＤ能力を復元しようとする。ある態様において、ＵＥは、ＬＴＥアタッチが成功した場合にｅＨＲＰＤ能力の即時（immediate）復元が可能であるか否かを示すために、フラッグ（例えば、ImmdRstrEHRPDAfterIRAT）を使用するように構成されうる。そのような態様において、ＵＥ １０００は、キャリアがこのフラッグをプロビジョンすることを可能にしうる。別の例において、ＵＥ １０００は、電力サイクルが完了したことを決定しうる。そのような態様において、ＵＥ １０００は、ｅＨＲＰＤ能力条件を評価し、結果がｅＨＲＰＤ能力であり、現在のＤＯセッションがＨＲＰＤである場合、ＵＥは、ｅＨＲＰＤ能力を復元しようとする。
【００７１】
タイマベースの（例えば、周期的な）トリガは、再試行タイマを含みうる。１つまたは複数のフォールバック失敗に基づくＨＲＰＤへのフォールバックの後、上述されたように、ＵＥ １０００は、失敗したプロシージャを再び試みるために、ｅＨＲＰＤに周期的に変更しうる。期間タイマ（例えば、BackToEHRPDTimer）は設定可能であり、テレスコピック（telescopic）にされうる。そのような態様において、ＵＥ １０００は、タイマ値が無線経由（over-the-air）でプロビジョンされることを可能にし、ランダム化をタイマ値に導入しうる。動作中、第１のデータサービスアクセス再試行トリガモジュール１０３８は、ＵＥ １０００がＬＣＰレベルの失敗またはＰＤＮ失敗に応じてＨＲＰＤにフォールバックすると、BackToEHRPDTimerを開始しうる。ある態様において、BackToEHRPDTimerが期限切れになり、データセッションが休止状態になると、ＵＥは、ｅＨＲＰＤ能力条件が満たされた場合にｅＨＲＰＤ機能を復元しようとする。別の態様において、第１のデータサービスアクセス再試行トリガモジュール１０３８は、ＨＲＰＤおよび１ＸにわたってBackToEHRPDTimerを維持しうる。そのような態様において、ＵＥ １０００がＤＯの外に出て、１Ｘサービスしか有さない場合、ＤＯカバレッジに戻った後に、ＵＥ １０００は、BackToEHRPDTimerが期限切れになってから、ｅＨＲＰＤに切り替えうる。別の態様において、第１のデータサービスアクセス再試行トリガモジュール１０３８は、電力サイクルの完了、セッション終了、等を受け、タイマをクリアしうる。別の態様において、タイマの１つまたは複数の特質は、ディスエーブルにされうる。図１１Ａ、１１Ｂ、および１１Ｃは、様々な再試行トリガに基づいて例示的で動作的な態様を提供する。表４は、例示的なタイマ値に関連付けられた値および説明を提供する。
【表４】
0005960255.tif 000005
【００７２】
データサービスアクセスモジュール１０３０の実現に関連付けられたさらなる説明は、図１１Ａ、１１Ｂ、１１Ｃ、１２、１３、および１４を参照して提供される。
【００７３】
別の態様において、データサービスアクセスモジュール１０３０は、ＵＥ １０００に対して、１Ｘサービスへの自動サイレントリダイヤルを提供するように動作可能でありうる。そのような態様において、ｅＨＲＰＤ上にいる間にＵＥ １０００が自動状態に遷移しない場合、１ｘを通るサイレントリダイヤルは、ＵＥ １０００がＨＲＰＤにフォールバックした後に起こりうる。
【００７４】
加えて、ＵＥ １０００は、ユーザインターフェース１０４０を含みうる。ユーザインターフェース１０４０は、ＵＥ １０００に入力を生成するための入力メカニズム１０４２、およびＵＥ １０００のユーザによる消費に対して情報を生成するための出力メカニズム１０４４を含みうる。例えば、入力メカニズム１０４２は、キーまたはキーボード、マウス、タッチスクリーンディスプレイ、マイクロフォン、等のようなメカニズムを含みうる。さらに、例えば、出力メカニズム１０４４は、ディスプレイ、オーディオスピーカ、触力覚（haptics）フィードバックメカニズム、等を含みうる。
【００７５】
図１１Ａ、１１Ｂ、および１１Ｃは、様々な態様にしたがって、時間の経過しているときのデータネットワークとのｅＨＲＰＤパーソナリティを用いて認証をするための再試行と、ＨＲＰＤフォールバックとの例示的な実現を示す。図１１Ａについて、ＵＥは、ｅＨＲＰＤネットワークによる認証を行おうとする試み１１０２をやめうる。一態様において、ＵＥは、複数の認証失敗通知の受信に応じてカウンタがゼロにデクレメントされた場合、ｅＨＲＰＤネットワークによる認証を行おうとする試みをやめうる。そのような場合、ＵＥは、ＨＲＰＤパーソナリティに切り替え、タイマ１１０６が設定されうる。本明細書で説明されるように、タイマは、ＵＥがＨＲＰＤパーソナリティを用いてＨＲＰＤネットワークを通してサービスを受けうる持続時間を提供しうる。タイマが期限切れになる１１０６と、ＵＥは、ｅＨＲＰＤパーソナリティに切り替え、ｅＨＲＰＤネットワークによる認証を試みうる。いくつかの実施形態において、ＵＥは、ｅＨＲＰＤパーソナリティに切り替わる前、データセッションが休止状態になるまで待ちうる。図１１Ａに示されているように、このサイクルは、ｅＨＲＰＤネットワークの認証の後続失敗により継続しうる。
【００７６】
図１１Ｂについて、図１１Ａを参照して説明されたように、ＵＥは、ｅＨＲＰＤネットワークによる認証を行おうとする試み１１０２をやめうる。一態様において、ＵＥは、複数の認証失敗通知の受信に応じて、カウンタがゼロにデクレメントされた場合に、ｅＨＲＰＤネットワークによる認証を行おうとする試みをやめる。そのような場合、ＵＥは、ＨＲＰＤパーソナリティに切り替え、タイマ１１０６が設定されうる。一態様において、ＵＥは、ＬＴＥカバレッジ１１０８に遷移しうる。そのような態様において、ＬＴＥネットワークによる認証の成功に応じて、ＵＥは、タイマ１１０６を停止しうる。その後ＵＥがＥＶ−ＤＯ技術に遷移した場合、ＵＥは、ｅＨＲＰＤに切り替え、タイマ１００６の期限切れを待つことなく、ｅＨＲＰＤネットワーク１１１０による認証を試みうる。そのような態様では、ｅＨＲＰＤに即時切り替えて認証を再び試みるようにＵＥを促すために、フラッグがＵＥにおいて設定されうる。
【００７７】
図１１Ｃについて、図１１Ａを参照して説明されたように、ＵＥは、ｅＨＲＰＤネットワークによる認証を行おうとする試み１１０２をやめうる。一態様において、ＵＥは、複数の認証失敗通知の受信に応じてカウンタがゼロにデクレメントされた場合、ｅＨＲＰＤネットワークによる認証を行おうとする試みをやめうる。そのような場合、ＵＥは、ＨＲＰＤパーソナリティに切り替え、タイマ１１０６が設定されうる。一態様において、ＵＥは、１ｘ専用カバレッジ１１１２に遷移しうる。そのような態様では、ＵＥがＥＶ−ＤＯカバレッジ領域に戻った場合にＵＥがＨＲＰＤパーソナリティ１１１４を継続するために、タイマ１１０６は、停止されず、むしろ維持されうる。ＨＲＰＤパーソナリティは、タイマ１１０６の期限切れまで維持されうる。タイマ１１０６が期限切れになると、ＵＥは、ｅＨＲＰＤパーソナリティに切り替え、ｅＨＲＰＤネットワークによる認証を試みうる。いくつかの態様において、ＵＥは、ｅＨＲＰＤパーソナリティに切り替える前に、データセッションが休止状態になるまで待ちうる。
【００７８】
図１２は、ワイヤレス通信の方法のフローチャート１２００である。
【００７９】
オプションの態様では、ブロック１２０２において、ＵＥは、第１のデータサービスと、データセッションの確立を試みうる。ある態様では、第１のデータサービスは、ｅＨＲＰＤデータサービスでありうる。
【００８０】
別のオプションの態様では、ブロック１２０４において、ＵＥは、データセッションが第１のデータサービスと成功裏に確立されたかを決定しうる。オプションのブロック１２０４において、データセッションが第１のデータサービスと成功裏に確立されたとＵＥが決定した場合、オプションのブロック１２０６において、ＵＥは、第１のデータサービスを使用して、ＵＥに関連付けられたデータ通信をサポートしうる。
【００８１】
対照的に、オプションのブロック１２０４において、データセッションが第１のデータサービスと成功裏に確立されなかったとＵＥが決定した場合、オプションのブロック１２０８において、ＵＥは、第１のデータサービスとデータセッションを確立する前または確立中に１つまたは複数のフォールバック条件が存在するか否かを決定しうる。ある態様において、フォールバック条件は、ハードフォールバック失敗の発生を示しうる。そのような態様において、ハードフォールバック失敗は、認証失敗でありうる。別の態様において、フォールバック条件は、ソフトフォールバック失敗の発生を示しうる。そのような態様において、ソフトフォールバック失敗は、ＬＣＰ交渉プロシージャ失敗でありうる。別の態様において、フォールバック条件は、第１のデータサービスとデータコンテキストを確立しようとするさらなる試みを禁止する前に発生しうるソフトフォールバック失敗の数を示しうる。別の態様において、フォールバック条件は、ＰＤＮ接続試行に関連づけられた少なくとも１つのＡＰＮの失敗の発生を示しうる。ある態様において、フォールバック条件は、ＵＥがローミングネットワークによってサポートされている場合に、ＵＥが、第１のデータサービスにアクセスするためにデータコンテキストを確立しようとする試みを禁止されたことを示すインジケーションでありうる。別の態様において、フォールバック条件は、ＵＥに関連付けられたアプリケーションプロフィールで設定された値を通して示されうる。
【００８２】
ブロック１２０８において、いずれのフォールバック条件も存在しない／満たされていないとＵＥが決定すると、オプションのブロック１２１０において、ＵＥは、第１のデータサービスとのデータセッションの確立を再び試みうる。
【００８３】
対照的に、ブロック１２０８において、フォールバック条件のうちの１つまたは複数が存在する／満たされている、とＵＥが決定すると、ブロック１２１２において、ＵＥは、第１のデータサービスにアクセスするためのデータコンテキストの確立しようとするさらなる試みを禁止しうる。
【００８４】
オプションの態様では、ブロック１２１４において、ＵＥは、第２のデータサービスとデータセッションを確立しうる。ある態様において、第２のデータサービスは、ＨＲＰＤデータサービスでありうる。
【００８５】
別のオプションの態様では、ブロック１２１６において、ＵＥは、１つまたは複数の第１のデータサービス再接続トリガに基づいて、第１のデータサービスにアクセスするためのデータコンテキストの確立を再び試みるか否かを決定する。一態様において、第１のデータサービス再接続トリガは、再試行タイマの期限切れの際に発生しうる。一態様において、第１のデータサービス再接続トリガは、電力サイクルが完了したとの決定でありうる。別の態様において、第１のデータサービス再接続トリガは、イベントの発生の検出を含みうる。そのような態様において、イベントは、第２のデータサービスとのデータセッションが終了し、新しいデータセッションが提案されているという、ＵＥによる決定でありうる。別の態様において、ＵＥが、ＬＴＥサポートネットワークに移動しており、装置がＬＴＥシステムアタッチプロシージャを用いてＬＴＥネットワークにより成功裏に認証されていることを示すイベントが検出されうる。
【００８６】
オプションのブロック１２１６において、いずれの再試行トリガも存在しない、とＵＥが決定すると、オプションのブロック１２１８において、ＵＥは、第２のデータサービスとのデータセッションを維持し続ける。
【００８７】
対照的に、オプションのブロック１２１６において、１つまたは複数の再試行トリガが存在する、とＵＥが決定すると、オプションのブロック１２１０において、ＵＥは、第１のデータサービスとのデータセッションの確立を再び試みうる。
【００８８】
図１３は、ワイヤレス通信の方法のフローチャート１３００である。
【００８９】
ブロック１３０２では、第１のシステム（例えば、ｅＨＲＰＤシステム、ＬＴＥシステム、等）について、認証プロシージャが試みられうる。ブロック１３０４において、認証が成功したか否かが決定されうる。ブロック１３０４において、認証が成功したと決定された場合、ブロック１３０６において、第１のシステムがアクセスされうる。一態様において、図８の動作８２４ａ〜ｃおよび８２６ａーｂに示された呼出フローは、第１のシステムがどのようにアクセスされうるかをデモンストレートする。オプションの態様において、ブロック１３０４で、認証試行が失敗したと決定されると、ブロック１３０８において、第１のシステム試行カウンタは、１つ減らされうる（例えば、デクリメントされる）。さらに、オプションの態様では、ブロック１３１０において、第１のシステム試行カウンタがゼロに達したかが決定される。第１のシステム試行カウンタがゼロに達していないと決定された場合、プロセスは、ブロック１３０２に戻りうる。対照的に、ブロック１３１０において、第１のシステム試行カウンタがゼロに達したと決定されると、ブロック１３１２において、ＵＥは、第１のシステムによる認証を行おうとする試みをやめうる。ブロック１３１４において、ＥＶ−ＤＯセッションが確立されうる。一態様において、ＥＶ−ＤＯセッションのためにＨＲＰＤパーソナリティが確立されうる。別の態様において、ＥＶ−ＤＯセッションが存在する場合、ＵＥは、ＨＲＰＤパーソナリティに切り替えられうる。一態様において、第１のシステムがＬＴＥであり、ＬＴＥ認証が失敗した場合、ＵＥがＬＴＥから出て１ｘＥＶ−ＤＯに遷移すると、ＵＥは、カウンタがゼロに達することなくＨＲＰＤパーソナリティを有するＥＶ−ＤＯセッションを確立しうる。
【００９０】
ブロック１３１６において、第１のシステムアクセスチェックタイマが始動されうる。一態様において、ＵＥが、ＨＲＰＤパーソナリティ上にあり、ＨＲＰＤサービスを受信するように動作可能な間に、ＵＥは、ブロック１３０２において、ｅＨＲＰＤパーソナリティに切り替えて（例えば、周期的に）、ＥＡＰ−ＡＫＡ’認証を再び試みうる。一態様において、タイマ（例えば、BackToEHRPDTimer）についての期間は設定可能であり、テレスコピックにされうる。一態様において、BackToEHRPDTimerが期限切れになり、データ呼出が休止状態になると、ＵＥは、ブロック１３０２において、ｅＨＲＰＤに切り替えて認証を再び試みうる。第１のアクセスシステムチェックタイマを構成する際に、様々な要素が考慮に入れられうる。限定されない例として、シグナリングオーバヘッドとＵＥがＨＲＰＤ上にいる時間との間のトレードオフが考慮に入れられうる。例えば、認証失敗を引き起こすネットワーク問題を、ある合理的な期間に解決することができない場合、短いタイマを設定することは、大きい無線シグナリングオーバヘッドおよびネットワーク輻輳をもたらしうる。ブロック１３１８において、リセットカウンタタイマが設定されうる。一態様において、リセットカウンタタイマ（例えば、RestAuthAttemptCounter）は、定義された時間期間の後に第１のシステム試行カウンタをリセットするようにＵＥを促しうる。
【００９１】
図１４は、ワイヤレス通信の別の方法のフローチャート１４００である。一態様において、他のＲＡＴとの接続の確立などのイベントの発生は、応答するようにＵＥをトリガしうる。フローチャート１４００において、ＨＲＰＤによってサポートされている間に、ＵＥが別のＲＡＴに遷移しうる態様が説明される。
【００９２】
図１３のブロック１３１６を参照して示されているように、ブロック１４０２において、第１のシステムアクセスチェックタイマが開始されうる。ブロック１４０４において、ＵＥが別のＲＡＴに遷移（例えば、アタッチ）したか否かが決定されうる。ブロック１４０４において、ＵＥが別のＲＡＴに遷移したと決定されると、ブロック１４０６において、他のＲＡＴがＬＴＥシステムであるか否かおよびＬＴＥ認証が成功したか否かが決定されうる。
【００９３】
一態様において、ＵＥは、１ｘＥＶ−ＤＯへの遷移に応じたｅＨＲＰＤへの即時切り替えが可能であるか否かを示すために、即時再試行フラッグ（例えばImmdRetryAuthAfterIRAT）とともに構成されうる。例えば、フラッグは、ＵＥがＬＴＥから１ｘＥＶ−ＤＯに移動した場合（ＬＴＥ認証が成功した場合）に、ＵＥがｅＨＲＰＤパーソナリティに即時に切り替えうるか否かを特定しうる。そのような例において、ＵＥは、ＵＥが１ｘＥＶ−ＤＯカバレッジに移動した場合に、ｅＨＲＰＤパーソナリティに即時切り替えうる。そのような態様において、ＬＴＥアタッチメントが成功した場合に、ＵＥは、タイマ（例えば、BackToEHRPDTimer）を停止しうる。ブロック１４０６において、他のＲＡＴがＬＴＥシステムであり、ＬＴＥ認証が成功したと決定されると、ブロック１４０８において、即時再試行フラッグが「１」に設定されたか否かが決定される。一態様において、即時再試行フラッグを「１」に設定することは、ＵＥが１ｘＥＶ−ＤＯシステムに遷移するとすぐに第１のシステム認証を試みるようにＵＥを促しうる。一態様において、フラッグが「０」、例えば「Ｆａｌｓｅ」に設定された場合、ＵＥが１ｘＥＶ−ＤＯに移動した後に、ＵＥは、第１のサービスアクセスチェックタイマが期限切れになり、データセッションが休止状態になると、ｅＨＲＰＤに切り替えうる。本明細書で使用される場合、「即時」という用語は、瞬間的な発生に限定されるわけではなく、むしろ、第１のシステムアクセスチェックタイマによって定義された時間よりも短い時間フレーム内の発生である。ブロック１４０８において、即時再試行フラッグが「１」に設定されると決定された場合、ブロック１４１０において、ＵＥは、第１のシステムアクセスチェックタイマを停止しうる。そのような態様において、ＵＥがＨＲＰＤからＬＴＥに遷移し、ＬＴＥアタッチが成功すると、ＵＥは、タイマ（例えば、BackToEHRPDTimer）を停止しうる。ブロック１４１２において、ＵＥが、１ｘＥＶ−ＤＯシステムのカバレッジに遷移した場合、BackToEHRPDTimerが停止されうるため、ＵＥは、ＥＡＰ−ＡＫＡ’認証を再び試みるために、ｅＨＲＰＤパーソナリティに切り替えうる。別の態様において、Ｓ１０１がサポートされている場合、ＵＥは、タイマが期限切れになると、Ｓ１０１接続を通したｅＨＲＰＤに切り替えうる。
【００９４】
対照的に、ＵＥが別のＲＡＴに遷移しなかった場合（ブロック１４０４において）、および／または、他のＲＡＴがＬＴＥシステムでない場合（ブロック１４０６において）、および／または、即時再試行フラッグが設定されなかった場合（例えば、「１」、「Ｔｕｒｅ」に設定されなかった場合）、ブロック１４１４において、第１のシステムアクセスチェックタイマが維持されうる。一態様では、ＵＥは、１ｘカバレッジのみに遷移しうる。ＵＥが１ｘＥＶ−ＤＯから出て１ｘサービスだけを有する場合、ＵＥは、タイマを維持しうる（例えば、停止および／またはリセットすることなくタイマを動かし続ける）。ブロック１４１６において、１ｘＥＶ−ＤＯへの遷移の後、第１のシステムアクセスチェックタイマが期限切れになると、ＵＥは、ＥＡＰ−ＡＫＡ’認証を再び試みるために、ｅＨＲＰＤパーソナリティに切り替えうる。
【００９５】
図１５は、例示的な装置１００の機能を示す概念的なブロック図１５００である。装置１００は、第１のデータサービスとデータセッションを確立する前、または確立中に、受信モジュール１５０６から受信された１つまたは複数のフォールバック条件１５０８が存在するか否かを決定し、１つまたは複数のフォールバック条件のうちの少なくとも１つが存在するとの決定に基づいて、第１のデータサービスにアクセスするためにデータコンテキストを確立しようとするさらなる試みを禁止するフォールバック条件決定モジュール１５０２を含む。装置１００はさらに、第２のデータサービス１５１２とデータセッションを確立するように構成された第２のデータサービスアクセスモジュール１５０４を含む。一態様において、第２のデータサービスアクセスモジュール１５０４は、ＨＲＰＤパーソナリティを有するＥＶ−ＤＯセッションを確立するか、または、第１のデータサービスにアクセスしようとする試みに対する禁止に応じてＨＲＰＤパーソナリティに切り替えうる。さらに、装置１００は、１つまたは複数の第１のデータサービス再接続トリガ（例えば、再試行接続トリガ１５１４）に基づいて、第１のデータサービス１５１６にアクセスするためにデータコンテキストを確立しようと再び試みるか否かを決定するように構成されうる第１のデータサービスアクセス再試行トリガモジュール１５１０を含みうる。装置１００は、上述されたフローチャートにおけるステップの各々を実行するさらなるモジュールを含みうる。したがって、上述されたフローチャートにおける各ステップは、１つのモジュールによって実行され、装置１００は、それらのモジュールのうちの１つまたは複数を含みうる。
【００９６】
一構成において、ワイヤレス通信のための装置１００は、第１のデータサービスとデータセッションを確立する前、または確立中に、１つまたは複数のフォールバック条件が存在するか否かを決定するための手段、および、１つまたは複数のフォールバック条件のうちの少なくとも１つが存在するとの決定に基づいて、第１のデータサービスにアクセスするためにデータコンテキストを確立しようとするさらなる試みを禁止するための手段を含む。第１のデータサービスは、ｅＨＲＰＤデータサービスであり、第２のデータサービスは、ＨＲＰＤデータサービスでありうる。ある態様において、フォールバック条件は、ハードフォールバック失敗の発生を示しうる。そのような態様において、ハードフォールバック失敗は、認証失敗でありうる。別の態様において、フォールバック条件は、ソフトフォールバック失敗の発生を示しうる。そのような態様において、ソフトフォールバック失敗は、ＬＣＰ交渉プロシージャ失敗でありうる。ある態様において、装置１００は、ハードフォールバック条件をソフトフォールバック条件と呼ぶように構成されうる。別の態様において、フォールバック条件は、第１のデータサービスとデータコンテキストを確立しようとするさらなる試みを禁止する前に発生しうるソフトフォールバック失敗の数を示しうる。別の態様において、フォールバック条件は、ＰＤＮ接続試行に関連付けられた少なくとも１つのＡＰＮの失敗の発生を示しうる。ある態様において、フォールバック条件は、装置１００がローミングネットワークによってサポートされている場合に、第１のデータサービスにアクセスするために、装置１００がデータコンテキストを確立しようとする試みを禁止されたことを示すインジケーションでありうる。別の態様において、フォールバック条件は、装置１００に関連付けられたアプリケーションプロフィールで設定された値を通して示されうる。
【００９７】
別の構成において、装置１００はさらに、第２のデータサービスとデータセッションを確立するための手段、および、１つまたは複数の第１のデータサービス再接続トリガに基づいて、第１のデータサービスにアクセスするためにデータコンテキストを確立しようと再び試みるか否かを決定するための手段を含みうる。一態様において、第１のデータサービス再接続トリガは、再試行タイマの期限切れで発生しうる。一態様において、第１のデータサービス再接続トリガは、電力サイクルが完了したとの決定でありうる。別の態様において、第１のデータサービス再接続トリガは、イベントの発生の検出を含みうる。そのような態様において、イベントは、第２のデータサービスとのデータセッションが終了したこと、および新しいデータセッションが提案されていることを示す、装置１００による決定でありうる。別の態様において、イベントは、装置１００が、ＬＴＥサポートネットワークに移動したこと、および装置がＬＴＥシステムアタッチプロシージャを用いてＬＴＥネットワークにより成功裏に認証されたことを示す検出されうる。そのような態様において、装置１００は、第２のデータサービスに事前登録するためにＬＴＥトンネルを使用するための手段を含みうる。さらに、そのような態様において、装置１００は、ＬＴＥトンネルを通して、第１のデータサービスにアクセスするためにデータコンテキストを確立しようと再び試みる手段を含みうる。別の態様において、装置１００は、装置がＬＴＥネットワークによってサポートされているとの決定に応じて、再試行タイマが期限切れになる前に、第１のデータサービスにアクセスするためにデータコンテキストを確立するように再び試みる手段を含みうる。ある態様において、装置１００はさらに、装置１００が、第１のデータサービスおよび第２のデータサービスに関連付けられた共通アクセスネットワークに基づくカバレッジを含む位置に移動したことを検出するための手段、および、この検出に基づいて第１のデータサービスにアクセスするためにデータコンテキストを確立しようと再び試みる手段を含みうる。
【００９８】
前述の手段は、装置１００（図１０参照）の前述されたモジュールのうちの１つまたは複数、および／または、前述された手段によって列挙された機能を実行するように構成された処理システム１１４でありうる。先に述べたように、処理システム１１４は、ＴＸプロセッサ７６８と、ＲＸプロセッサ７５６と、コントローラ／プロセッサ７５９とを含む。すなわち、一構成では、前述の手段は、上記手段によって列挙された機能を実行するように構成された、ＴＸプロセッサ７６８、ＲＸプロセッサ７５６、コントローラ／プロセッサ７５９でありうる。
【００９９】
開示されたプロセスにおけるステップの特定の順序または階層が、例示的なアプローチの一例であるということは理解されるべきである。設計の選好に基づいて、これらのプロセスにおけるステップの特定の順序または階層が並べ替えられうるということは理解されるべきである。添付の方法の請求項は、様々なステップのエレメントを例示的な順序で提示しているが、提示された特定の順序または階層に限定されることを意図するものではない。
【０１００】
先の説明は、当業者が、本明細書に説明された様々な態様を実施できるようにするために提供されている。これらの態様に対する様々な変更は、当業者に容易に明らかであり、本明細書において定義された包括的な原理は、他の態様に適用されうる。したがって、特許請求の範囲は、明細書に示された態様に限定されることを意図するものではなく、特許請求の範囲における記載と一致する全範囲を付与されるべきものであり、単数形でのエレメントへの言及は、そうであるとの明確な記載がない限り、「１つ、および１つのみの」を意味することを意図せず、むしろ「１つまたは複数の」を意味するものとする。別途明確な記載がない限り、「ある（some）」という用語は、１つまたは複数を意味する。当業者に知られている、または後に知られることとなる、本開示を通して説明された様々な態様のエレメントと構造的および機能的に同等な物はすべて、参照によって本明細書に明確に組み込まれ、特許請求の範囲に含まれることが意図される。さらに、本明細書におけるどの開示も、その開示が特許請求の範囲に明示的に記載されているか否かにかかわらず、一般社会に献呈されることを意図するものではない。特許請求の範囲のエレメントはいずれも、別途「〜するための手段」という表現を用いて記載されていない限り、手段プラス機能と解釈されるべきではない。
以下に、本願出願の当初の特許請求の範囲に記載された発明を付記する。
［Ｃ１］
ワイヤレス通信の方法であって、
第１のデータサービスとデータセッションを確立する前または確立中に、１つまたは複数のフォールバック条件が存在するか否かを決定することと、
前記１つまたは複数のフォールバック条件のうちの少なくとも１つが存在するとの前記決定に基づいて、前記第１のデータサービスにアクセスするためにデータコンテキストを確立しようとするさらなる試みを禁止することと
を備える方法。
［Ｃ２］
前記１つまたは複数のフォールバック条件のうちの１つは、ハードフォールバック失敗の発生を示す、
［Ｃ１］に記載の方法。
［Ｃ３］
前記第１のデータサービスは、発展型高速パケットデータ（ｅＨＲＰＤ）サービスを備え、前記ハードフォールバック失敗は、認証失敗を備える、
［Ｃ２］に記載の方法。
［Ｃ４］
前記１つまたは複数のフォールバック条件のうちの１つは、ソフトフォールバック失敗の発生を示す、
［Ｃ１］に記載の方法。
［Ｃ５］
前記第１のデータサービスは、ｅＨＲＰＤサービスを備え、前記ソフトフォールバック失敗は、リンク制御プロトコル（ＬＣＰ）交渉プロシージャ失敗を備える、
［Ｃ４］に記載の方法。
［Ｃ６］
前記１つまたは複数のフォールバック条件のうちの１つは、前記第１のデータサービスにアクセスするために前記データコンテキストを確立しようとする前記試みを禁止する前に発生しうるソフトフォールバック失敗の数を示す、
［Ｃ４］に記載の方法。
［Ｃ７］
前記１つまたは複数のフォールバック条件のうちの１つは、ハードフォールバック失敗の発生が、ソフトフォールバック失敗の発生としてみなされるべきであることを示す、
［Ｃ４］に記載の方法。
［Ｃ８］
前記１つまたは複数のフォールバック条件のうちの１つは、パケットデータネットワーク（ＰＤＮ）接続試行に関連付けられた少なくとも１つのアクセスポイント名（ＡＰＮ）の失敗の発生を示す、
［Ｃ１］に記載の方法。
［Ｃ９］
前記１つまたは複数のフォールバック条件のうちの１つは、前記ＵＥがローミングネットワークによってサポートされている場合に、ユーザ機器（ＵＥ）が、前記第１のデータサービスにアクセスするために前記データコンテキストを確立しようとする試みを禁止されることを示す、
［Ｃ１］に記載の方法。
［Ｃ１０］
前記１つまたは複数のフォールバック条件のうちの１つは、ユーザ機器（ＵＥ）が、前記ＵＥに関連付けられたプリケーションプロフィールで値が設定された場合に、前記第１のデータサービスにアクセスするために、前記データコンテキストを確立しようとする試みを禁止されることを示す、
［Ｃ１］に記載の方法。
［Ｃ１１］
第２のデータサービスとデータセッションを確立することと、
１つまたは複数の第１のデータサービス再接続トリガに基づいて、前記第１のデータサービスにアクセスするためにデータコンテキストを確立しようと再び試みる否かを決定することと
をさらに備える、［Ｃ１］に記載の方法。
［Ｃ１２］
前記第１のデータサービス再接続トリガのうちの１つは、再試行タイマの期限切れを備える、
［Ｃ１１］に記載の方法。
［Ｃ１３］
前記第１のデータサービス再接続トリガのうちの１つは、イベント発生の検出を備える、
［Ｃ１１］に記載の方法。
［Ｃ１４］
前記イベント発生の検出は、前記第２のデータサービスとの前記データセッションが終了したこと、および新しいデータセッションが提案されていることを決定することをさらに備える、
［Ｃ１３］に記載の方法。
［Ｃ１５］
ロングタームエボリューション（ＬＴＥ）ネットワークに移動することをさらに備え、前記イベント発生の検出は、前記ＬＴＥネットワークへの成功した認証がＬＴＥシステムアタッチプロシージャに基づいて実行されたことを決定することをさらに備える、
［Ｃ１３］に記載の方法。
［Ｃ１６］
前記第２のデータサービスに事前登録するためにＬＴＥトンネルを使用することをさらに備える、
［Ｃ１５］に記載の方法。
［Ｃ１７］
前記ＬＴＥトンネルを通して、前記第１のデータサービスにアクセスするためにデータコンテキストを確立しようと再び試みることをさらに備える、
［Ｃ１６］に記載の方法。
［Ｃ１８］
再試行タイマが期限切れになる前に、前記第１のデータサービスにアクセスするためにデータコンテキストを確立しようと再び試みることをさらに備える、
［Ｃ１５］に記載の方法。
［Ｃ１９］
前記第１のデータサービスおよび前記第２のデータサービスに関連付けられた共通アクセスネットワークに基づくカバレッジを含む位置にＵＥが移動したと検出することと、
前記検出に基づいて、前記第１のデータサービスにアクセスするためにデータコンテキストを確立しようと再び試みることと
をさらに備える、［Ｃ１５］に記載の方法。
［Ｃ２０］
前記イベント発生の検出は、電力サイクルが完了したと決定することをさらに備える、
［Ｃ１３］に記載の方法。
［Ｃ２１］
前記第２のデータサービスは、高速パケットデータ（ＨＲＰＤ）サービスである、
［Ｃ１１］に記載の方法。
［Ｃ２２］
前記決定することおよび前記禁止することは、ＵＥによって実行される、
［Ｃ１］に記載の方法。
［Ｃ２３］
無線通信のための装置であって、
第１のデータサービスとのデータセッションを確立する前または確立中に、１つまたは複数のフォールバック条件が存在するか否かを決定するための手段と、
前記１つまたは複数のフォールバック条件のうちの少なくとも１つが存在するとの前記決定に基づいて、前記第１のデータサービスにアクセスするためにデータコンテキストを確立しようとするさらなる試みを禁止するための手段と
を備える装置。
［Ｃ２４］
前記１つまたは複数のフォールバック条件のうちの１つは、ハードフォールバック失敗の発生を示す、
［Ｃ２３］に記載の装置。
［Ｃ２５］
前記第１のデータサービスは、発展型高速パケットデータ（ｅＨＲＰＤ）サービスを備え、前記ハードフォールバック失敗は、認証失敗を備える、
［Ｃ２４］に記載の装置。
［Ｃ２６］
前記１つまたは複数のフォールバック条件のうちの１つは、ソフトフォールバック失敗の発生を示す、
［Ｃ２３］に記載の装置。
［Ｃ２７］
前記第１のデータサービスは、ｅＨＲＰＤサービスを備え、前記ソフトフォールバック失敗は、リンク制御プロトコル（ＬＣＰ）交渉プロシージャ失敗を備える、
［Ｃ２６］に記載の装置。
［Ｃ２８］
前記１つまたは複数のフォールバック条件のうちの１つは、前記第１のデータサービスにアクセスするために前記データコンテキストを確立しようとする前記試みを禁止する前に発生しうるソフトフォールバック失敗の数を示す、
［Ｃ２６］に記載の装置。
［Ｃ２９］
前記１つまたは複数のフォールバック条件のうちの１つは、ハードフォールバック失敗の発生が、ソフトフォールバック失敗の発生としてみなされるべきであることを示す、
［Ｃ２６］に記載の装置。
［Ｃ３０］
前記１つまたは複数のフォールバック条件のうちの１つは、パケットデータネットワーク（ＰＤＮ）接続試行に関連付けられた少なくとも１つのアクセスポイント名（ＡＰＮ）の失敗の発生を示す、
［Ｃ２３］に記載の装置。
［Ｃ３１］
前記１つまたは複数のフォールバック条件のうちの１つは、ユーザ機器（ＵＥ）が、前記ＵＥがローミングネットワークによってサポートされている場合に、前記第１のデータサービスにアクセスするために前記データコンテキストを確立しようとする試みを禁止されることを示す、
［Ｃ２３］に記載の装置。
［Ｃ３２］
前記１つまたは複数のフォールバック条件のうちの１つは、ユーザ機器（ＵＥ）が、前記ＵＥの関連付けられたアプリケーションプロフィールで値が設定された場合に、前記第１のデータサービスにアクセスするために前記データコンテキストを確立しようとする試みを禁止されることを示す、
［Ｃ２３］に記載の装置。
［Ｃ３３］
第２のデータサービスとデータセッションを確立するための手段と、
１つまたは複数の第１のデータサービス再接続トリガに基づいて、前記第１のデータサービスにアクセスするためにデータコンテキストを確立しようと再び試みるか否かを決定するための手段と
をさらに備える、［Ｃ２３］に記載の装置。
［Ｃ３４］
前記第１のデータサービス再接続トリガのうちの１つは、再試行タイマ期限切れを備える、
［Ｃ３３］に記載の装置。
［Ｃ３５］
前記第１のデータサービス再接続トリガのうちの１つは、イベント発生の検出を備える、
［Ｃ３３］に記載の装置。
［Ｃ３６］
前記イベント発生の検出は、前記第２のデータサービスとの前記データセッションが終了し、新しいデータセッションが提案されていることを決定することをさらに備える、
［Ｃ３５］に記載の装置。
［Ｃ３７］
ロングタームエボリューション（ＬＴＥ）ネットワークに移動することをさらに備え、前記イベント発生の検出は、前記ＬＴＥネットワークへの成功した認証がＬＴＥシステムアタッチプロシージャに基づいて実行されたと決定することをさらに備える、
［Ｃ３５］に記載の装置。
［Ｃ３８］
前記第２のデータサービスに事前登録するためにＬＴＥトンネルを使用するための手段をさらに備える、
［Ｃ３７］に記載の装置。
［Ｃ３９］
前記ＬＴＥトンネルを通して、前記第１のデータサービスにアクセスするためにデータコンテキストを確立するように再び試みる手段をさらに備える、
［Ｃ３８］に記載の装置。
［Ｃ４０］
再試行タイマの期限切れの前に、前記第１のデータサービスにアクセスするためにデータコンテキストを確立するように再び試みる手段をさらに備える、
［Ｃ３７］に記載の装置。
［Ｃ４１］
前記第１のデータサービスおよび前記第２のデータサービスに関連付けられた共通アクセスネットワークに基づくカバレッジを含む位置にＵＥが移動したことを検出するための手段と、
前記検出に基づいて、前記第１のデータサービスにアクセスするためにデータコンテキストを確立するように再び試みる手段と
をさらに備える、［Ｃ３７］に記載の装置。
［Ｃ４２］
前記イベント発生の検出は、電力サイクルが完了したと決定することをさらに備える、
［Ｃ３５］に記載の装置。
［Ｃ４３］
前記第２のデータサービスは、高速パケットデータ（ＨＲＰＤ）サービスである、
［Ｃ３３］に記載の装置。
［Ｃ４４］
前記決定するための手段および前記禁止するための手段は、ＵＥに含まれる、
［Ｃ２３］に記載の装置。
［Ｃ４５］
通信のためのデバイスであって、
メモリと、
前記メモリに接続されたプロセッサと、
前記メモリまたは前記プロセッサのうちの少なくとも１つに結合されたデータサービスアクセスモジュールであって、
第１のデータサービスとのデータセッションを確立する前または確立中に、１つまたは複数のフォールバック条件が存在するか否かを決定し、
前記１つまたは複数のフォールバック条件のうちの少なくとも１つが存在するとの前記決定に基づいて、前記第１のデータサービスにアクセスするためにデータコンテキストを確立しようとするさらなる試みを禁止する
ように構成されるデータサービスアクセスモジュールと、
を備えるデバイス。
［Ｃ４６］
前記１つまたは複数のフォールバック条件のうちの１つは、ハードフォールバック失敗の発生を示す、
［Ｃ４５］に記載の装置。
［Ｃ４７］
前記第１のデータサービスは、発展型高速パケットデータ（ｅＨＲＰＤ）サービスを備え、前記ハードフォールバック失敗は、認証失敗を備える、
［Ｃ４６］に記載の装置。
［Ｃ４８］
前記１つまたは複数のフォールバック条件のうちの１つは、ソフトフォールバック失敗の発生を示す、
［Ｃ４５］に記載の装置。
［Ｃ４９］
前記第１のデータサービスは、ｅＨＲＰＤサービスを備え、前記ソフトフォールバック失敗は、リンク制御プロトコル（ＬＣＰ）交渉プロシージャ失敗を備える、
［Ｃ４８］に記載の装置。
［Ｃ５０］
前記１つまたは複数のフォールバック条件のうちの１つは、前記第１のデータサービスにアクセスするために前記データコンテキストを確立しようとする前記試みを禁止する前に発生しうるソフトフォールバック失敗の数を示す、
［Ｃ４８］に記載の装置。
［Ｃ５１］
前記１つまたは複数のフォールバック条件のうちの１つは、ハードフォールバック失敗の発生が、ソフトフォールバック失敗の発生としてみなされるべきであることを示す、
［Ｃ４８］に記載の装置。
［Ｃ５２］
前記１つまたは複数のフォールバック条件のうちの１つは、パケットデータネットワーク（ＰＤＮ）接続試行に関連付けられた少なくとも１つのアクセスポイント名（ＡＰＮ）の失敗の発生を示す、
［Ｃ４５］に記載の装置。
［Ｃ５３］
前記１つまたは複数のフォールバック条件のうちの１つは、前記装置がローミングネットワークによってサポートされている場合に、前記装置が、前記第１のデータサービスにアクセスするために前記データコンテキストを確立しようとする試みを禁止されることを示す、
［Ｃ４５］に記載の装置。
［Ｃ５４］
前記１つまたは複数のフォールバック条件のうちの１つは、前記装置と関連付けられたプリケーションプロフィールで値が設定された場合に、前記装置が、前記第１のデータサービスにアクセスするために前記データコンテキストを確立しようとする試みを禁止されることを示す、
［Ｃ４５］に記載の装置。
［Ｃ５５］
データサービスアクセスモジュールは、
第２のデータサービスとデータセッションを確立し、
１つまたは複数の第１のデータサービス再接続トリガに基づいて、前記第１のデータサービスにアクセスするためにデータコンテキストを確立するように再び試みるか否かを決定する
ようにさらに構成される、［Ｃ４５］に記載の装置。
［Ｃ５６］
前記第１のデータサービス再接続トリガのうちの１つは、再試行タイマの期限切れを備える、
［Ｃ５５］に記載の装置。
［Ｃ５７］
前記第１のデータサービス再接続トリガのうちの１つは、イベント発生の検出を備える、
［Ｃ５５］に記載の装置。
［Ｃ５８］
データサービスアクセスモジュールは、前記第２のデータサービスとの前記データセッションが終了し、新しいデータセッションが提案されていることを決定するようにさらに構成される、
［Ｃ５７］に記載の装置。
［Ｃ５９］
ロングタームエボリューション（ＬＴＥ）ネットワークに移動することをさらに備え、前記データサービスアクセスモジュールは、前記ＬＴＥネットワークへの成功した認証がＬＴＥシステムアタッチプロシージャに基づいて実行されたことを決定するようにさらに構成される、
［Ｃ５７］に記載の装置。
［Ｃ６０］
前記データサービスアクセスモジュールは、前記第２のデータサービスに事前登録するためにＬＴＥトンネルを使用するようにさらに構成される、
［Ｃ５９］に記載の装置。
［Ｃ６１］
前記データサービスアクセスモジュールは、前記ＬＴＥトンネルと通して前記第１のデータサービスにアクセスするために、データコンテキストを確立するように再び試みるようにさらに構成される、
［Ｃ６０］に記載の装置。
［Ｃ６２］
前記データサービスアクセスモジュールは、再試行タイマの期限切れ前に、前記第１のデータサービスにアクセスするためにデータコンテキストを確立するように再び試みるようにさらに構成される、
［Ｃ５９］に記載の装置。
［Ｃ６３］
前記データサービスアクセスモジュールは、
前記第１のデータサービスおよび前記第２のデータサービスに関連付けられた共通アクセスネットワークに基づくカバレッジを含む位置に前記装置が移動したことを検出し、
前記検出に基づいて、前記第１のデータサービスにアクセスするためにデータコンテキストを確立するように再び試みる
ようにさらに構成される、［Ｃ５９］に記載の装置。
［Ｃ６４］
前記データサービスアクセスモジュールは、電力サイクルが完了したと決定するようにさらに構成される、
［Ｃ５７］に記載の装置。
［Ｃ６５］
前記第２のデータサービスは、高速パケットデータ（ＨＲＰＤ）サービスである、
［Ｃ５５］に記載の装置。
［Ｃ６６］
コンピュータ読取可能な媒体を備えるコンピュータプログラム製品であって、前記コンピュータ読取可能な媒体は、
第１のデータサービスとデータセッションを確立する前または確立中に、１つまたは複数のフォールバック条件が存在するか否かを決定するためのコードと、
前記１つまたは複数のフォールバック条件のうちの少なくとも１つが存在するとの前記決定に基づいて、前記第１のデータサービスにアクセスするためにデータコンテキストを確立しようとするさらなる試みを禁止するためのコードと
を備える、コンピュータプログラム製品。
【図１】
0005960255.tif 000006
【図２】
0005960255.tif 000007
【図３】
0005960255.tif 000008
【図４】
0005960255.tif 000009
【図５】
0005960255.tif 000010
【図６】
0005960255.tif 000011
【図７】
0005960255.tif 000012
【図８】
0005960255.tif 000013
【図９】
0005960255.tif 000014
【図１０】
0005960255.tif 000015
【図１１Ａ】
0005960255.tif 000016
【図１１Ｂ】
0005960255.tif 000017
【図１１Ｃ】
0005960255.tif 000018
【図１２】
0005960255.tif 000019
【図１３】
0005960255.tif 000020
【図１４】
0005960255.tif 000021
【図１５】
0005960255.tif 000022